(57)【要約】【課題】シーン参照画像データから鑑賞画像参照データへ変換する際に、アナログプリントを再現する階調変換曲線を設定可能にする。【解決手段】画像処理部７０は、シーン参照画像データに対し、アンダー撮影条件（適正な光量として予め設定された光量よりも少ない光量を得る露出条件）で撮影された画像を再現するための階調変換処理を施し、予め出力媒体毎に定義された、シーン参照画像データから鑑賞画像参照データへの変換を示す階調変換曲線に基づいて、アンダー撮影条件での階調変換処理が施された画像データに階調変換処理を施して鑑賞画像参照データを生成する。【選択図】図１１
2005202749.tif 000002
【特許請求の範囲】
【請求項１】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に基づいて、前記変換工程において階調変換処理が施された画像データに階調変換処理を施して鑑賞画像参照データを生成する生成工程と、
を含むことを特徴とする画像処理方法。
【請求項２】
シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
前記較正処理が施された階調変換曲線に基づいてシーン参照画像データに階調変換処理を施して鑑賞画像参照データを生成する生成工程と、
を含むことを特徴とする画像処理方法。
【請求項３】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
前記変換工程において階調変換処理が施された画像データに対し、前記較正処理が施された階調変換曲線に基づいて階調変換処理を施して鑑賞画像参照データを生成する生成工程と、
を含むことを特徴とする画像処理方法。
【請求項４】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
生成される鑑賞画像参照データの硬さの調整値を入力する第１の入力工程と、
予め出力媒体毎に定義された、シーン参照画像データから鑑賞画像参照データへの変換を示す階調変換曲線を、前記入力された硬さの調整値に基づいて変更する第１の変更工程と、
生成される鑑賞画像参照データの明るさの調整値を入力する第２の入力工程と、
前記階調変換曲線を、前記入力された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項５】
シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
生成される鑑賞画像参照データの硬さの調整値を入力する第１の入力工程と、
前記較正処理が施された階調変換曲線を、前記入力された硬さの調整値に基づいて変更する第１の変更工程と、
生成される鑑賞画像参照データの明るさの調整値を入力する第２の入力工程と、
前記較正処理が施された階調変換曲線を、前記入力された明るさの調整値に基づいて変更する第２の変更工程と、
シーン参照画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項６】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
生成される鑑賞画像参照データの硬さの調整値を入力する第１の入力工程と、
前記較正処理が施された階調変換曲線を、前記入力された硬さの調整値に基づいて変更する第１の変更工程と、
生成される鑑賞画像参照データの明るさの調整値を入力する第２の入力工程と、
前記較正処理が施された階調変換曲線を、前記入力された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項７】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
予め出力媒体毎に定義された、シーン参照画像データから鑑賞画像参照データへの変換を示す階調変換曲線を、前記決定された硬さの調整値に基づいて変更する第１の変更工程と、
前記階調変換曲線を、前記決定された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項８】
シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
前記較正処理が施された階調変換曲線を、前記決定された硬さの調整値に基づいて変更する第１の変更工程と、
前記較正処理が施された階調変換曲線を、前記決定された明るさの調整値に基づいて変更する第２の変更工程と、
シーン参照画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項９】
シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
前記較正処理が施された階調変換曲線を、前記決定された硬さの調整値に基づいて変更する第１の変更工程と、
前記較正処理が施された階調変換曲線を、前記決定された明るさの調整値に基づいて変更する第２の変更工程と、
前記変更工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴とする画像処理方法。
【請求項１０】
前記予め設定された光量よりも少ない光量を得る露出条件は、少なくとも０．５絞りアンダー撮影であることを特徴とする請求項１、３、４、６、７、９の何れか一項に記載の画像処理方法。
【請求項１１】
前記特定の被写体が石膏像であることを特徴とする請求項２、３、５、６、８、９の何れか一項に記載の画像処理方法。
【請求項１２】
前記予め設定された光量よりも少ない光量を得る露出条件で撮影された画像は、０．５絞りアンダー撮影で得られた画像であり、
前記特定の被写体が石膏像であることを特徴とする請求項３、６、９の何れか一項に記載の画像処理方法。
【請求項１３】
前記階調変換曲線の入出力値がＬ＊である場合、前記特定領域中の所定の位置は、入力Ｌ＊が４０以上５０未満の位置であることを特徴とする請求項４〜９の何れか一項に記載の画像処理方法。
【請求項１４】
前記予め出力媒体毎に定義された階調変換曲線の硬さと明るさの初期値が、ユーザ別に記憶されていることを特徴とする請求項４〜９の何れか一項に記載の画像処理方法。
【請求項１５】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に基づいて、前記変換部により階調変換処理が施された画像データに階調変換処理を施して鑑賞画像参照データを生成する生成部と、
を備えることを特徴とする画像処理装置。
【請求項１６】
シーン参照画像データに、出力媒体上での鑑賞画像形成のために最適化する画像処理を施して鑑賞画像参照データを生成する画像処理装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記較正処理が施された階調変換曲線に基づいてシーン参照画像データに階調変換処理を施して鑑賞画像参照データを生成する生成部と、
を備えることを特徴とする画像処理装置。
【請求項１７】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記変換部により階調変換処理が施された画像データに対し、前記較正処理が施された階調変換曲線に基づいて階調変換処理を施して鑑賞画像参照データを生成する生成部と、
を備えることを特徴とする画像処理装置。
【請求項１８】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
生成される鑑賞画像参照データの硬さの調整値を入力する第１の入力部と、
予め出力媒体毎に定義された、シーン参照画像データから鑑賞画像参照データへの変換を示す階調変換曲線を、前記入力された硬さの調整値に基づいて変更する第１の変更部と、
生成される鑑賞画像参照データの明るさの調整値を入力する第２の入力部と、
前記階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項１９】
シーン参照画像データに、出力媒体上での鑑賞画像形成のために最適化する画像処理を施して鑑賞画像参照データを生成する画像処理装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項２０】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項２１】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
予め出力媒体毎に定義された、シーン参照画像データから鑑賞画像参照データへの変換を示す階調変換曲線を、前記決定された硬さの調整値に基づいて変更する第１の変更部と、
前記階調変換曲線を、前記決定された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項２２】
シーン参照画像データに、出力媒体上での鑑賞画像形成のために最適化する画像処理を施して鑑賞画像参照データを生成する画像処理装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項２３】
シーン参照画像データに、出力媒体上での鑑賞画像形成のために最適化する画像処理を施して鑑賞画像参照データを生成する画像処理装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
前記変更部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像処理装置。
【請求項２４】
前記予め設定された光量よりも少ない光量を得る露出条件は、少なくとも０．５絞りアンダー撮影であることを特徴とする請求項１５、１７、１８、２０、２１、２３の何れか一項に記載の画像処理装置。
【請求項２５】
前記特定の被写体が石膏像であることを特徴とする請求項１６、１７、１９、２０、２２、２３の何れか一項に記載の画像処理装置。
【請求項２６】
前記予め設定された光量よりも少ない光量を得る露出条件で撮影された画像は、０．５絞りアンダー撮影で得られた画像であり、
前記特定の被写体が石膏像であることを特徴とする請求項１７、２０、２３の何れか一項に記載の画像処理装置。
【請求項２７】
前記階調変換曲線の入出力値がＬ＊である場合、前記特定領域中の所定の位置は、入力Ｌ＊が４０以上５０未満の位置であることを特徴とする請求項１８〜２３の何れか一項に記載の画像処理装置。
【請求項２８】
前記予め出力媒体毎に定義された階調変換曲線の硬さと明るさの初期値を、ユーザ別に記憶する記憶部を備えることを特徴とする請求項１８〜２３の何れか一項に記載の画像処理装置。
【請求項２９】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に基づいて、前記変換部により階調変換処理が施された画像データに階調変換処理を施して鑑賞画像参照データを生成する生成部と、
を備えることを特徴とする画像記録装置。
【請求項３０】
シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記較正処理が施された階調変換曲線に基づいてシーン参照画像データに階調変換処理を施して鑑賞画像参照データを生成する生成部と、
を備えることを特徴とする画像記録装置。
【請求項３１】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記変換部により階調変換処理が施された画像データに対し、前記較正処理が施された階調変換曲線に基づいて階調変換処理を施して鑑賞画像参照データを生成する生成部と、
を備えることを特徴とする画像記録装置。
【請求項３２】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
生成される鑑賞画像参照データの硬さの調整値を入力する第１の入力部と、
予め出力媒体毎に定義された、シーン参照画像データから鑑賞画像参照データへの変換を示す階調変換曲線を、前記入力された硬さの調整値に基づいて変更する第１の変更部と、
生成される鑑賞画像参照データの明るさの調整値を入力する第２の入力部と、
前記階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３３】
シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３４】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３５】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
予め出力媒体毎に定義された、シーン参照画像データから鑑賞画像参照データへの変換を示す階調変換曲線を、前記決定された硬さの調整値に基づいて変更する第１の変更部と、
前記階調変換曲線を、前記決定された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３６】
シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３７】
シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
前記変更部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴とする画像記録装置。
【請求項３８】
前記予め設定された光量よりも少ない光量を得る露出条件は、少なくとも０．５絞りアンダー撮影であることを特徴とする請求項２９、３１、３２、３４、３５、３７の何れか一項に記載の画像記録装置。
【請求項３９】
前記特定の被写体が石膏像であることを特徴とする請求項３０、３１、３３、３４、３６、３７の何れか一項に記載の画像記録装置。
【請求項４０】
前記予め設定された光量よりも少ない光量を得る露出条件で撮影された画像は、０．５絞りアンダー撮影で得られた画像であり、
前記特定の被写体が石膏像であることを特徴とする請求項３１、３４、３７の何れか一項に記載の画像記録装置。
【請求項４１】
前記階調変換曲線の入出力値がＬ＊である場合、前記特定領域中の所定の位置は、入力Ｌ＊が４０以上５０未満の位置であることを特徴とする請求項３２〜３７の何れか一項に記載の画像記録装置。
【請求項４２】
前記予め出力媒体毎に定義された階調変換曲線の硬さと明るさの初期値を、ユーザ別に記憶する記憶部を備えることを特徴とする請求項３２〜３７の何れか一項に記載の画像記録装置。
【発明の詳細な説明】
【技術分野】
【０００１】
本発明は、シーン参照画像データから出力媒体上での鑑賞画像形成用に最適化処理を施す画像処理方法、画像処理装置、出力媒体上に鑑賞画像を形成する画像記録装置に関する。
【背景技術】
【０００２】
近年、デジタルカメラ等の撮像装置で撮影されたデジタル画像データは、ＣＤ−Ｒ、フロッピー（登録商標）ディスク、メモリーカードなどの記憶デバイスやインターネット経由で配信され、ＣＲＴ（Cathode Ray Tube）、液晶ディスプレイ、プラズマディスプレイ、携帯電話の小型液晶モニタ等の表示デバイスに表示されたり、デジタルプリンタ、インクジェットプリンタ、サーマルプリンタ等の出力デバイスを用いてハードコピー画像としてプリントされたりするなど、その表示方法、プリント方法は多種多様化してきている。
【０００３】
またデジタル画像データを鑑賞用途で表示したりプリント出力したりする際には、鑑賞に使用するディスプレイ上又はハードコピー上において所望の画質が得られるように、デジタル画像データに対して、階調調整、輝度調整、カラーバランス調整、鮮鋭性強調に代表される種々の画像処理を施すことが一般に行われている。
【０００４】
こうした多様の表示方法及びプリント方法に対応して、デジタル画像データの汎用性を高める努力がなされてきた。その一環として、デジタルＲＧＢ信号が表現する色空間を、撮像装置特性に依存しない色空間に標準化する試みがあり、現在では多くのデジタル画像データが標準化された色空間として「ｓＲＧＢ」を採用している（「Multimedia Systems and Equipment-Colour Measurment and Management-Part2-1:Colour Management-Default RGB Colour Space-sRGB」IEC"61966-2-1を参照）。このｓＲＧＢの色空間は、標準的なＣＲＴディスプレイモニタの色再現領域に対応して設定されている。
【０００５】
一般に、デジタルカメラは、ＣＣＤ（Charge Coupled Device：電荷結合素子）とシフトレジスタと呼ばれる電荷転送機構と、市松模様のカラーフィルタとを組み合わせて感色性を付与した、光電変換機能を有する撮像素子（ＣＣＤ型撮像素子、以下単にＣＣＤと称す。）を備えている。デジタルカメラにより出力されるデジタル画像データは、ＣＣＤを介して変換された電気的な元信号に、撮像素子の光電変換機能の補正（例えば、階調補正、分光感度のクロストーク補正、暗電流ノイズ抑制、鮮鋭化、ホワイトバランス調整、彩度調整等の画像処理）が施され、画像編集ソフトでの読み取り・表示が可能なように規格化された所定形式のデータフォーマットへのファイル変換・圧縮処理等を経たものである。
【０００６】
このようなデータフォーマットとしては、例えば、Exifファイルの非圧縮ファイルとして採用されている「Baseline Tiff Rev.6.0RGB Full Color Image」及びJPEGフォーマットに準拠した圧縮データファイル形式が知られている。Exifファイルは、ｓＲＧＢに準拠したものであり、撮像素子の光電変換機能の補正は、ｓＲＧＢに準拠するディスプレイモニタ上で最も好適な画質となるよう設定されている。
【０００７】
例えば、どのようなデジタルカメラであっても、ｓＲＧＢ信号に準拠したディスプレイモニタの標準色空間（以下、「モニタプロファイル」と称す。）で表示することを示すタグ情報と、画素数、画素配列及び１画素当たりのビット数等の機種依存情報を示す付加情報をデジタル画像データのファイルヘッダにメタデータとして書き込む機能を有して、そのようなデータフォーマット形式を採用してさえいれば、デジタル画像データをディスプレイモニタに表示する画像編集ソフト（例えば、Adobe社製Photoshop）によりタグ情報を解析し、モニタプロファイルのｓＲＧＢへの変更を促したり、自動的に変更処置を施すことができる。そのため、異なるディスプレイ間の差異を低減したり、デジタルカメラで撮影されたデジタル画像データを、ディスプレイモニタ上で好適な状態で鑑賞することが可能になっている。
【０００８】
また、デジタル画像データのファイルヘッダに書き込まれる付加情報としては、上述した機種依存情報以外にも、例えば、カメラ名称、コード番号等のカメラ種別（機種）に直接関係する情報、或いは露出時間、シャッタースピード、絞り値（Ｆナンバー）、ＩＳＯ感度、輝度値、被写体距離範囲、光源、ストロボ発光の有無、被写体領域、ホワイトバランス、ズーム倍率、被写体構成、撮影シーンタイプ、ストロボ光源の反射光の量、撮影彩度等の撮影条件、被写体の種類に関する情報等を示すタグ（コード）が用いられている。画像編集ソフトや出力デバイスは、これらの付加情報を読み取り、ハードコピー画像の画質をより好適なものとする機能を備えている。
【０００９】
ところで、ＣＲＴディスプレイモニタ等の表示デバイスで表示される画像や、各種プリントデバイスによりプリントされたハードコピー画像は、用いられている蛍光体又は色材の構成によって色再現域が異なる。例えば、ｓＲＧＢ標準色空間に対応するＣＲＴディスプレイモニタの色再現領域は、明るい緑や青の領域が広く、銀塩写真プリント、インクジェットプリンタ、印刷等のハードコピーでは再現できない領域がある。反対に、印刷・インクジェットのシアン領域や銀塩写真の黄色領域には、ｓＲＧＢ標準色空間に対応するＣＲＴディスプレイモニタでは再現できない領域が存在する（例えばコロナ社「ファインイメージングとディジタル写真」（社）日本写真学会出版委員会編４４４頁参照）。一方、撮影対象となる被写体シーンの中には、これらの何れの色再現領域でも再現できない領域色を呈しているものが存在する可能性がある。
【００１０】
このように、特定のデバイスによる表示やプリントを前提として最適化された色空間（ｓＲＧＢを含む）には、記録可能な色域に制限があるため、撮像デバイスが取得した情報を記録する際には、記録可能な色域に圧縮してマッピングする調整が必要になる。マッピングの方法としては、記録可能な色域の外にある色度点を最寄の色域境界上へマッピングしてしまうクリッピングが最も簡単であるが、これでは色域外のグラデーションが潰れてしまい、鑑賞時に違和感を覚える画像になってしまう。このため現在では、適当な閾値以上にクロマが高い領域の色度点をクロマの大きさに従って滑らかに圧縮する非線形圧縮が一般に採用されている。この結果、記録可能な色域内部の色度点においてもクロマが圧縮されて記録されることになる。（色域のマッピング方法についての詳細は、例えばコロナ社「ファインイメージングとディジタル写真」（社）日本写真学会出版委員会編４４７頁に記載されている。）
【００１１】
また、ＣＲＴディスプレイモニタ等の表示デバイスで表示される画像や、各種プリントデバイスによりプリントされたハードコピー画像、またこれらのデバイスによる表示・プリントを前提として最適化された色空間（ｓＲＧＢを含む）は、記録・再現可能な輝度域が約１００：１オーダーに限定されている。これに対して撮影対象となる被写体シーンは輝度域が広く、屋外では数千：１のオーダーに至ることもしばしば発生する（例えば、東京大学出版会「新編色彩科学ハンドブック第２版」日本色彩学会編９２６頁参照。）。従って、撮像デバイスが取得した情報を記録する際には、輝度についても同様に圧縮が必要になる。この処理は、撮影シーンのダイナミックレンジや、撮影シーン内における主要被写体の輝度レンジに応じて、１画像毎に適切な条件を設定する必要がある。
【００１２】
ところが、上記のような色域・輝度域の圧縮操作をおこなった場合、離散的数値で記録されるデジタル画像の原理に起因して、圧縮されたグラデーション情報やクリッピングされた情報はその時点で失われてしまい、再び元の状態に戻すことができない。このことが、高画質デジタル画像の汎用性において大きな制約になっている。
【００１３】
例えば、ｓＲＧＢ標準色空間において記録された画像をプリントする場合は、ｓＲＧＢ標準色空間とプリントデバイスの色再現域の相違に基づいて、再度マッピングが必要になる。しかしながら、記録時に一旦圧縮された領域のグラデーション情報が失われているため、撮像デバイスが取得した情報を直接プリントデバイスの色再現域にマッピングする場合に比べてグラデーションの滑らかさが悪化する。また、記録時の階調圧縮条件が不適切で、絵が白っぽい・顔が暗い・シャドーの潰れやハイライト領域の白飛びが目立つという問題があった場合、階調設定を変更して画像を改善しようとしても、圧縮されたグラデーション情報や潰れ・白飛び部分の情報は既に失われているために、撮像デバイスが取得した情報から新たに画像を作り直す場合と比べて、著しく不十分な改善しか行うことができない。
【００１４】
画像編集の過程をバックアップとして保存し、必要に応じて編集前の状態に戻す技術は古くから知られている。例えば、特許文献１には、デジタル画像データに対し、画像処理により局所的な変更を施した場合、画像処理前後のデジタル画像データとの差分画像データをバックアップデータとして保存するバックアップ装置が記載されている。また、特許文献２には、画像処理前後のデジタル画像データの差分画像データを取り保存しておくことにより、編集前のデジタル画像データを復元可能にする方法が記載されている。こうした技術は、情報損失防止の観点では有効であるが、メデイアに記録すべきデータ量の増大を伴い、その結果カメラの撮影可能枚数が減少するという問題がある。
【００１５】
以上に述べてきた問題は、撮像デバイスが取得した広い色域・輝度域の情報を、鑑賞画像を想定して最適化した状態の鑑賞画像参照データに圧縮して記録することに起因する。これに対して、撮像デバイスが取得した広い色域・輝度域の情報を圧縮しないシーン参照画像データとして記録すれば、不用意な情報の損失を防止することができる。このようなシーン参照画像データを記録するのに適した標準色空間としては、例えば、「ＲＩＭＭ ＲＧＢ」や「ＥＲＩＭＭ ＲＧＢ」が提案されている（Journal of Imaging Science and Technology 45巻 418〜426頁(2001年)参照）。
【００１６】
特許文献３には、表示手段に表示した画像信号形態で記録するモードと、撮像した画像信号形態で記録するモードを有する画像処理装置が開示されている。後者の画像信号形態は、一般にＲＡＷデータと呼ばれ、このようなデジタル画像データは、専用のアプリケーションソフト（「電子現像ソフト」と称される。）を用いて、Exifファイルなどの表示・印刷用の鑑賞画像参照データに変換する（「電子現像」又は単に「現像」と称される。）ことができる。ＲＡＷデータは、撮影時の全情報を保存しているため、鑑賞画像参照データの作り直しが可能であり、ＣＭＹＫ等の他の表色系ファイルを直接作れば、ディスプレイモニタ(ｓＲＧＢ)との色域の相違に起因して不用意に色が変更されることもない。
【特許文献１】特開平７-５７０７４号公報
【特許文献２】特開２００１−９４７７８号公報
【特許文献３】特開平１１−２６１９３３号公報
【発明の開示】
【発明が解決しようとする課題】
【００１７】
上述の技術を利用して、シーン参照画像データから、例えば、ディスプレイモニタ上で最適な鑑賞画像参照データへ変換する場合、ＲＡＷデータと同様に、専用のアプリケーションソフトを用いて、アナログプリントを再現するための階調変換曲線を設定したり、彩度調整を行ったりする必要がある。一般に、シーン参照画像データから鑑賞画像参照データへの変換を示す階調変換曲線の設定は、視覚的にカーブ形状を整えるユーザインターフェース機能を利用して、マウス操作により行われる。しかしながら、階調変換曲線の設定作業は、画像のシャドー側、中間領域、ハイライト側の硬さと明度を同時に調整するものであり、かなりの熟練度を要する。また、被写体の種類或いは撮影条件（例えば、ストロボ撮影、逆光）によって、階調変換曲線の設定は様々に異なってくる。更に、ＣＲＴディスプレイのようにｓＲＧＢ等の規格に準拠していれば、階調変換曲線の設定の汎用性も高くメーカー側もある程度の推奨設定を容易することは可能となるが、銀塩プリンタやインクジェットプリンタ等に鑑賞画像を形成する場合には、様々な変動要因が加わり、推奨設定で十分となるケースは極めてまれである。このような変動要因は、撮像デバイスのダイナミックレンジ性能によるところが大きい。この変動要因により、グラデーションの滑らかさがない、絵が白っぽい、顔が暗くなる、シャドーが潰れる、ハイライト領域の白飛びが目立つといった問題が生じる。このような現象は、特に婚礼写真において顕著に現れる。従って、たとえ撮像デバイスが、新郎が着ているタキシードの黒色と、新婦が着ているウェディングドレスの白色を十分に記録したとしても、反射原稿上に鑑賞画像を形成する作業工程で階調を再現することは容易ではない。図４２に、アナログプリントを再現するための従来の階調変換曲線（入出力変換曲線）の例を示す。図４２に示す階調変換曲線の場合、ハイライト領域で曲線の傾きが不連続な部分（変曲点）があり、ハイライト領域で白飛びが起こる可能性がある。
【００１８】
本発明の課題は、シーン参照画像データから鑑賞画像参照データへ変換する際に、アナログプリントを再現する階調変換曲線を容易に設定可能にすることである。
【課題を解決するための手段】
【００１９】
上記課題を解決するために、請求項１に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に基づいて、前記変換工程において階調変換処理が施された画像データに階調変換処理を施して鑑賞画像参照データを生成する生成工程と、を含むことを特徴としている。
【００２０】
請求項２に記載の発明は、シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
前記較正処理が施された階調変換曲線に基づいてシーン参照画像データに階調変換処理を施して鑑賞画像参照データを生成する生成工程と、を含むことを特徴としている。
【００２１】
請求項３に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
前記変換工程において階調変換処理が施された画像データに対し、前記較正処理が施された階調変換曲線に基づいて階調変換処理を施して鑑賞画像参照データを生成する生成工程と、を含むことを特徴としている。
【００２２】
請求項４に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
生成される鑑賞画像参照データの硬さの調整値を入力する第１の入力工程と、
予め出力媒体毎に定義された、シーン参照画像データから鑑賞画像参照データへの変換を示す階調変換曲線を、前記入力された硬さの調整値に基づいて変更する第１の変更工程と、
生成される鑑賞画像参照データの明るさの調整値を入力する第２の入力工程と、
前記階調変換曲線を、前記入力された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２３】
請求項５に記載の発明は、シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
生成される鑑賞画像参照データの硬さの調整値を入力する第１の入力工程と、
前記較正処理が施された階調変換曲線を、前記入力された硬さの調整値に基づいて変更する第１の変更工程と、
生成される鑑賞画像参照データの明るさの調整値を入力する第２の入力工程と、
前記較正処理が施された階調変換曲線を、前記入力された明るさの調整値に基づいて変更する第２の変更工程と、
シーン参照画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２４】
請求項６に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
生成される鑑賞画像参照データの硬さの調整値を入力する第１の入力工程と、
前記較正処理が施された階調変換曲線を、前記入力された硬さの調整値に基づいて変更する第１の変更工程と、
生成される鑑賞画像参照データの明るさの調整値を入力する第２の入力工程と、
前記較正処理が施された階調変換曲線を、前記入力された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２５】
請求項７に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
予め出力媒体毎に定義された、シーン参照画像データから鑑賞画像参照データへの変換を示す階調変換曲線を、前記決定された硬さの調整値に基づいて変更する第１の変更工程と、
前記階調変換曲線を、前記決定された明るさの調整値に基づいて変更する第２の変更工程と、
前記変換工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２６】
請求項８に記載の発明は、シーン参照画像データに、出力媒体上での鑑賞画像形成のために最適化する画像処理を施して鑑賞画像参照データを生成する画像処理方法において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
前記較正処理が施された階調変換曲線を、前記決定された硬さの調整値に基づいて変更する第１の変更工程と、
前記較正処理が施された階調変換曲線を、前記決定された明るさの調整値に基づいて変更する第２の変更工程と、
シーン参照画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２７】
請求項９に記載の発明は、シーン参照画像データに、出力媒体上での鑑賞画像形成のために最適化する画像処理を施して鑑賞画像参照データを生成する画像処理方法において、
シーン参照画像データに対し、適正な光量として予め設定された光量よりも少ない光量を得る露出条件で撮影された画像を再現するための階調変換処理を施す変換工程と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理工程と、
出力媒体上に形成された、硬さと明るさの設定値の組み合わせが異なる複数の画像の中から、択一的に画像を選択する画像選択工程と、
前記選択された画像に基づいて、生成される鑑賞画像参照データの硬さの調整値及び明るさの調整値を決定する決定工程と、
前記較正処理が施された階調変換曲線を、前記決定された硬さの調整値に基づいて変更する第１の変更工程と、
前記較正処理が施された階調変換曲線を、前記決定された明るさの調整値に基づいて変更する第２の変更工程と、
前記変更工程において階調変換処理が施された画像データに対し、前記第１の変更工程及び前記第２の変更工程において変更された階調変換曲線に基づいて階調変換処理を施して鑑賞画像参照データを生成する生成工程と、を含み、
前記第１の変更工程において、前記階調変換曲線上の所定の位置を含む特定領域を不動領域として、前記硬さの調整値に基づいて当該階調変換曲線の形状が変更され、
前記第２の変更工程において、前記特定領域が予め定義された曲線上を移動するように、前記明るさの調整値に基づいて当該階調変換曲線の形状が変更されることを特徴としている。
【００２８】
請求項１０に記載の発明は、請求項１、３、４、６、７、９の何れか一項に記載の画像処理方法において、前記予め設定された光量よりも少ない光量を得る露出条件は、少なくとも０．５絞りアンダー撮影であることを特徴としている。
【００２９】
請求項１１に記載の発明は、請求項２、３、５、６、８、９の何れか一項に記載の画像処理方法において、前記特定の被写体が石膏像であることを特徴としている。
【００３０】
請求項１２に記載の発明は、請求項３、６、９の何れか一項に記載の画像処理方法において、前記予め設定された光量よりも少ない光量を得る露出条件で撮影された画像は、０．５絞りアンダー撮影で得られた画像であり、前記特定の被写体が石膏像であることを特徴としている。
【００３１】
請求項１３に記載の発明は、請求項４〜９の何れか一項に記載の画像処理方法において、前記階調変換曲線の入出力値がＬ＊である場合、前記特定領域中の所定の位置は、入力Ｌ＊が４０以上５０未満の位置であることを特徴としている。
【００３２】
請求項１４に記載の発明は、請求項４〜９の何れか一項に記載の画像処理方法において、前記予め出力媒体毎に定義された階調変換曲線の硬さと明るさの初期値が、ユーザ別に記憶されていることを特徴としている。
【００３３】
請求項１５に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に基づいて、前記変換部により階調変換処理が施された画像データに階調変換処理を施して鑑賞画像参照データを生成する生成部と、を備えることを特徴としている。
【００３４】
請求項１６に記載の発明は、シーン参照画像データに、出力媒体上での鑑賞画像形成のために最適化する画像処理を施して鑑賞画像参照データを生成する画像処理装置において、予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記較正処理が施された階調変換曲線に基づいてシーン参照画像データに階調変換処理を施して鑑賞画像参照データを生成する生成部と、を備えることを特徴としている。
【００３５】
請求項１７に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記変換部により階調変換処理が施された画像データに対し、前記較正処理が施された階調変換曲線に基づいて階調変換処理を施して鑑賞画像参照データを生成する生成部と、を備えることを特徴としている。
【００３６】
請求項１８に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
生成される鑑賞画像参照データの硬さの調整値を入力する第１の入力部と、
予め出力媒体毎に定義された、シーン参照画像データから鑑賞画像参照データへの変換を示す階調変換曲線を、前記入力された硬さの調整値に基づいて変更する第１の変更部と、生成される鑑賞画像参照データの明るさの調整値を入力する第２の入力部と、
前記階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００３７】
請求項１９に記載の発明は、シーン参照画像データに、出力媒体上での鑑賞画像形成のために最適化する画像処理を施して鑑賞画像参照データを生成する画像処理装置において、予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００３８】
請求項２０に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００３９】
請求項２１に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
予め出力媒体毎に定義された、シーン参照画像データから鑑賞画像参照データへの変換を示す階調変換曲線を、前記決定された硬さの調整値に基づいて変更する第１の変更部と、
前記階調変換曲線を、前記決定された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００４０】
請求項２２に記載の発明は、シーン参照画像データに、出力媒体上での鑑賞画像形成のために最適化する画像処理を施して鑑賞画像参照データを生成する画像処理装置において、予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００４１】
請求項２３に記載の発明は、シーン参照画像データに、出力媒体上での鑑賞画像形成のために最適化する画像処理を施して鑑賞画像参照データを生成する画像処理装置において、シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
前記変更部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００４２】
請求項２４に記載の発明は、請求項１５、１７、１８、２０、２１、２３の何れか一項に記載の画像処理装置において、前記予め設定された光量よりも少ない光量を得る露出条件は、少なくとも０．５絞りアンダー撮影であることを特徴としている。
【００４３】
請求項２５に記載の発明は、請求項１６、１７、１９、２０、２２、２３の何れか一項に記載の画像処理装置において、前記特定の被写体が石膏像であることを特徴としている。
【００４４】
請求項２６に記載の発明は、請求項１７、２０、２３の何れか一項に記載の画像処理装置において、前記予め設定された光量よりも少ない光量を得る露出条件で撮影された画像は、０．５絞りアンダー撮影で得られた画像であり、前記特定の被写体が石膏像であることを特徴としている。
【００４５】
請求項２７に記載の発明は、請求項１８〜２３の何れか一項に記載の画像処理装置において、前記階調変換曲線の入出力値がＬ＊である場合、前記特定領域中の所定の位置は、入力Ｌ＊が４０以上５０未満の位置であることを特徴としている。
【００４６】
請求項２８に記載の発明は、請求項１８〜２３の何れか一項に記載の画像処理装置において、前記予め出力媒体毎に定義された階調変換曲線の硬さと明るさの初期値を、ユーザ別に記憶する記憶部を備えることを特徴としている。
【００４７】
請求項２９に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に基づいて、前記変換部により階調変換処理が施された画像データに階調変換処理を施して鑑賞画像参照データを生成する生成部と、を備えることを特徴としている。
【００４８】
請求項３０に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記較正処理が施された階調変換曲線に基づいてシーン参照画像データに階調変換処理を施して鑑賞画像参照データを生成する生成部と、を備えることを特徴としている。
【００４９】
請求項３１に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
前記変換部により階調変換処理が施された画像データに対し、前記較正処理が施された階調変換曲線に基づいて階調変換処理を施して鑑賞画像参照データを生成する生成部と、を備えることを特徴としている。
【００５０】
請求項３２に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
生成される鑑賞画像参照データの硬さの調整値を入力する第１の入力部と、
予め出力媒体毎に定義された、シーン参照画像データから鑑賞画像参照データへの変換を示す階調変換曲線を、前記入力された硬さの調整値に基づいて変更する第１の変更部と、生成される鑑賞画像参照データの明るさの調整値を入力する第２の入力部と、
前記階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５１】
請求項３３に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５２】
請求項３４に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
生成される鑑賞画像参照データの硬さの調整値を入力する第１の入力部と、
前記較正処理が施された階調変換曲線を、前記入力された硬さの調整値に基づいて変更する第１の変更部と、
生成される鑑賞画像参照データの明るさの調整値を入力する第２の入力部と、
前記較正処理が施された階調変換曲線を、前記入力された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５３】
請求項３５に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
予め出力媒体毎に定義された、シーン参照画像データから鑑賞画像参照データへの変換を示す階調変換曲線を、前記決定された硬さの調整値に基づいて変更する第１の変更部と、
前記階調変換曲線を、前記決定された明るさの調整値に基づいて変更する第２の変更部と、
前記変換部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５４】
請求項３６に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
シーン参照画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５５】
請求項３７に記載の発明は、シーン参照画像データに、出力媒体上での鑑賞画像形成のために最適化する画像処理を施して鑑賞画像参照データを生成し、生成された鑑賞画像参照データを出力媒体上に形成する画像記録装置において、
シーン参照画像データに対し、適正な光量として予め設定された光量よりも少ない光量を得る露出条件で撮影された画像を再現するための階調変換処理を施す変換部と、
予め出力媒体毎に定義された、シーン参照画像データから鑑賞画像参照データへの変換を示す階調変換曲線に対し、特定の被写体が一定のコントラストとなるように再現する階調変換処理の較正処理を施す較正処理部と、
出力媒体上に形成された、硬さと明るさの設定値の組み合わせが異なる複数の画像の中から、択一的に画像を選択する画像選択部と、
前記選択された画像に基づいて、生成される鑑賞画像参照データの硬さの調整値及び明るさの調整値を決定する決定部と、
前記較正処理が施された階調変換曲線を、前記決定された硬さの調整値に基づいて変更する第１の変更部と、
前記較正処理が施された階調変換曲線を、前記決定された明るさの調整値に基づいて変更する第２の変更部と、
前記変更部により階調変換処理が施された画像データに対し、前記第１の変更部及び前記第２の変更部により変更された階調変換曲線に基づいて階調変換処理を施して鑑賞画像参照データを生成する生成部と、を備え、
前記第１の変更部は、前記階調変換曲線上の所定の位置を備える特定領域を不動領域として、前記硬さの調整値に基づいて当該階調変換曲線の形状を変更し、
前記第２の変更部は、前記特定領域が予め定義された曲線上を移動するように、前記明るさの調整値に基づいて当該階調変換曲線の形状を変更することを特徴としている。
【００５６】
請求項３８に記載の発明は、請求項２９、３１、３２、３４、３５、３７の何れか一項に記載の画像記録装置において、前記予め設定された光量よりも少ない光量を得る露出条件は、少なくとも０．５絞りアンダー撮影であることを特徴としている。
【００５７】
請求項３９に記載の発明は、請求項３０、３１、３３、３４、３６、３７の何れか一項に記載の画像記録装置において、前記特定の被写体が石膏像であることを特徴としている。
【００５８】
請求項４０に記載の発明は、請求項３１、３４、３７の何れか一項に記載の画像記録装置において、前記予め設定された光量よりも少ない光量を得る露出条件で撮影された画像は、０．５絞りアンダー撮影で得られた画像であり、前記特定の被写体が石膏像であることを特徴としている。
【００５９】
請求項４１に記載の発明は、請求項３２〜３７の何れか一項に記載の画像記録装置において、前記階調変換曲線の入出力値がＬ＊である場合、前記特定領域中の所定の位置は、入力Ｌ＊が４０以上５０未満の位置であることを特徴としている。
【００６０】
請求項４２に記載の発明は、請求項３２〜３７の何れか一項に記載の画像記録装置において、前記予め出力媒体毎に定義された階調変換曲線の硬さと明るさの初期値を、ユーザ別に記憶する記憶部を備えることを特徴としている。
【００６１】
次に、本発明において使用される用語について詳細に説明する。
【００６２】
本発明の記載において「生成」とは、本発明の画像処理方法、画像処理装置及び画像記録装置内において作用するプログラム及び処理回路が、画像信号を新たに作り出すことである。なお「作成」を同義語として用いることもある。
【００６３】
また、「シーン参照画像データ」とは、少なくとも撮像素子自体の分光感度に基づく各色チャンネルの信号強度を上述のＲＩＭＭ ＲＧＢやＥＲＩＭＭ ＲＧＢ、ｓｃＲＧＢ（IEC61966-2-2）等の輝度拡張色空間にマッピング済みであり、階調変換、鮮鋭性強調、彩度強調のような画像鑑賞時の効果を向上するためにデータ内容を改変する画像処理が省略された状態の画像データを意味する。またシーン参照画像データは、撮像装置の光電変換特性（opto-electronic conversion function、例えば、コロナ社「ファインイメージングとディジタル写真」（社）日本写真学会出版委員会編４４９頁参照。)の補正を行ったものであることが好ましい。標準化されたシーン参照画像データの情報量（例えば階調数）は、Ａ/Ｄ変換器の性能に準じ、鑑賞画像参照データで必要とされる情報量（例えば階調数）と同等以上であることが好ましい。例えば、鑑賞画像参照データの階調数が１チャンネルあたり８ｂｉｔである場合、シーン参照画像データの階調数は１２ｂｉｔ以上が好ましく、１４ｂｉｔ以上がより好ましく、１６ｂｉｔ以上が更に好ましい。
【００６４】
また、「鑑賞画像参照データ」とは、ＣＲＴ、液晶ディスプレイ、プラズマディスプレイ、銀塩印画紙、インクジェットペーパー、サーマルプリンタ用紙等の「出力媒体」上のハードコピー画像生成に用いるデジタル画像データを意味する。ＣＲＴ、液晶ディスプレイ、プラズマディスプレイ等の表示デバイスと、銀塩印画紙、インクジェットペーパー、サーマルプリンタ用紙等の出力媒体上において、最適な画像が得られるよう「最適化処理」が施されている。
【００６５】
また、「最適化する画像処理」とは、ＣＲＴ、液晶ディスプレイ、プラズマディスプレイ等の表示デバイスや、銀塩印画紙、インクジェットペーパー、サーマルプリンタ用紙等の出力媒体上において、最適な画像を得るための処理であり、例えば、ｓＲＧＢ規格に準拠したＣＲＴディスプレイモニタに表示することを前提とした場合、ｓＲＧＢ規格の色域内で最適な色再現が得られるように処理される。また、銀塩印画紙への出力を前提とした場合、銀塩印画紙の色域内で最適な色再現が得られるように処理される。また色域の圧縮の以外にも、１６ｂｉｔから８ｂｉｔへの階調圧縮、出力画素数の低減及び出力デバイスの出力特性(ＬＵＴ)への対応処理等も含まれる。更に、ノイズ抑制、鮮鋭化、カラーバランス調整、彩度調整、覆い焼き処理等の画像処理が行われることは言うまでもない。
【００６６】
また、「出力媒体」とは、ＣＲＴ、液晶ディスプレイ、プラズマディスプレイ等の表示デバイスや、銀塩印画紙、インクジェットペーパー、サーマルプリンタ用紙などである。
【００６７】
「適正な光量」を得る露出条件とは、ＣＣＤ（Charge-Coupled Device）等の撮像素子への照射光量が適切な状態となる、撮像装置のシャッタースピードと絞りの値を意味する。通常、「適正な光量」を得る露出条件は、「適正露出条件」又は「ノーマル撮影条件」などと呼ばれ、撮像装置内の露出計が自動的に設定したり、撮影者が露出計を用いて光量を計測することにより設定される。しかしながら、「適正露出条件」は、写真館のスタジオ撮影などでは、照明条件（照明比、色温度など）や被写体の構成により異なったり、撮像装置内の露出計では、機種や測定の条件設定により異なったりする。このような理由から、計測に基づく「適正露出条件」は、あくまでも目安にしか過ぎないといった側面もある。これらの事象に鑑み、本発明の記載における「適正な光量」を得る露出条件とは、一般に知られている撮像装置、即ちカメラの自動露出条件設定に近似したものであり、特に出力画像に被写体暗部の潰れや明部の白とびがなく、１８％グレーチャートがデジタル画像データの所定値となり、「シーン参照画像データ」の場合、反射率５０％の被写体が、出力階調の中間（16bit値であれば32767）付近にあることと定義する。
【００６８】
以下、「適正な光量」を得る露出条件の詳細を、具体例を挙げて説明する。
「適正な光量」を得る露出条件を決定する際に用いられる測光の単位として、ＥＶ値が知られている。ＥＶ値と、シャッタースピード（＝Ｔ）と、絞り値（＝Ｆ）と、ＩＳＯ感度（＝Ｉ）との関係を式（１）に示す。
ＥＶ値＝log2Ｆ2−log2Ｔ−log2(Ｉ/100)    （１）
ＥＶ値の目安として、快晴（海／山／雪）は１６、快晴（海／山／雪以外）は１５、晴は１４、明るい曇は１３、薄曇／日陰は１２、曇は１１、明るい室内は８、暗い室内は６である。照明条件と被写体を固定すればＥＶ値は常に一定であり、「適正な光量」を得る露出条件となるシャッタースピードＴと絞り値Ｆは、式（１）により決定することができる。
【００６９】
ストロボ撮影の場合、「適正な光量」を得る露出条件を、下記の式（２）に示すように、絞り値（＝Ｆ）、ストロボの発光光量を示すガイドナンバー（以下、「Ｇ．Ｎ」と記載）、撮影距離（＝Ｄ）(単位ｍ)、ＩＳＯ感度（＝Ｉ）との関係で表すことができる。
【数１】
2005202749.tif 000003
ストロボ発光光量と被写体を固定すれば、適正光量となる絞り値Ｆを、式（２）により決定することができる。
【００７０】
本発明において「適正な光量として予め設定された光量よりも少ない光量を得る露出条件」とは、入射光量を「適正な光量」より小さく、ＥＶ値を実際のＥＶ値より大きいとみなして、撮像装置のシャッタースピード又は絞り値を設定することである。ストロボ撮影の場合も同様である。以下、「適正な光量」を得る露出条件を、「ノーマル撮影条件」と称し、適正な光量より少ない光量を得る露出条件を「アンダー撮影条件」と称す。
【００７１】
「適正な光量として予め設定された光量よりも少ない光量を得る露出条件」は、請求項１０、２４、３８に記載のように、「適正な光量」に対し、少なくとも０．５絞りアンダー撮影であることが望ましい。０．５絞りアンダー撮影の露出条件として、シャッタースピードＴと絞り値Ｆを、「適正な光量」であるＥＶ値（式（１））を用いて表したものを式（３）に示す。
ＥＶ値＋０．５＝log2Ｆ2−log2Ｔ−log2(Ｉ/100)    （３）
ストロボ撮影の場合の０．５絞りアンダー撮影の露出条件を式（４）に示す。
【数２】
2005202749.tif 000004
【００７２】
「適正な光量として予め設定された光量よりも少ない光量を得る露出条件で撮影された画像を再現するための階調変換処理を施す」とは、ノーマル撮影条件で撮影されたシーン参照画像データを用いて、あたかもアンダー撮影条件で撮影されたシーン参照画像データを再現することである。以下、アンダー撮影条件で撮影したシーン参照画像データを再現する方法について詳細に説明する。
【００７３】
アンダー撮影条件での撮影を再現したシーン参照画像データのＲＧＢ値（＝wkRout、wkGout、wkBout）（単位 ｂｉｔ）は、シーン参照画像データのｂｉｔ値（＝ｂｉｔ）と、ノーマル撮影条件で撮影されたシーン参照画像データのＲＧＢ値（＝wkRin、wkGin、wkBin）と、アンダー撮影条件の程度（＝ΔＥＶ）（単位 ＥＶ値補正量）と、補正値（＝ＥＣＶ）を用いて、式（５）及び式（６）のように表される。
【数３】
2005202749.tif 000005
ＥＣＶ＝２bit-7×19.125×ΔＥＶ    （６）
０．５絞りアンダーの場合、ΔＥＶ＝−０．５である。
【００７４】
なお、アンダー撮影条件での撮影を再現したシーン参照画像データを、ＲＧＢ値の代わりに輝度値を用いて表してもよい。この場合、アンダー撮影条件での撮影を再現したシーン参照画像データの輝度値（＝wkLout）は、ノーマル撮影条件で撮影されたシーン参照画像データの輝度値（＝wkLin）、アンダー撮影条件の程度（＝ΔＥＶ）（単位 ＥＶ値補正量）と、補正値（＝ＥＣＶ）を用いて、式（７）及び式（８）のように表される。
wkLout＝wkLin＋ＥＣＶ    （７）
ＥＣＶ＝15.0×ΔＥＶ    （８）
【００７５】
このように、アンダー撮影条件で撮影された階調のシーン参照画像データを生成することにより、階調調整時のハイライト側の再現性が極めて容易に、かつ安定に行うことができる。従来、特に白のウェディングドレスや白シャツの滑らかな階調性や質感を出すには、白とびのないノーマル撮影条件で撮影しているにもかかわらず、画像データの最大値（8bitでは255、16bitでは65535）自体を若干小さな値にしたり、ハイライト側の軟調化が必要であった。この作業には階調曲線の曲率を一定に保つことや最大値の最適値を適切にするのにかなりの熟練を要していたが、本発明の方法により、ハイライト側に入力値のない一定の領域が確保され、最大値を動かす必要が全くなく、作業が大幅に効率化される。更に、同一シーンを撮影したカラーネガフィルムから銀塩印画紙への投影露光方式による写真プリントと、アンダー撮影条件での撮影を再現したシーン参照画像データの階調を比較したところ、全体の硬さや明るさは未調整であったにもかかわらず、ハイライト側の再現性が極めて類似していることがわかった。
【００７６】
本発明において「階調変換曲線」とは、「シーン参照画像データ」を「鑑賞画像参照データ」への変換するための入出力変換曲線（「Look Up Table」、以下単に「ＬＵＴ」と称す。）であり、横軸に入力Ｌ＊、縦軸に出力Ｌ＊で表されるグラフ上の曲線として、図１のように表される。図１において、入力Ｌ＊、被写体の明度（輝度）値であり、ＣＣＤ出力のリニア部に対して正比例する。出力Ｌ＊は、入力Ｌ＊をｓＲＧＢ色空間にマッピングしたとき、所定の明度（輝度）計算式により得られる値を用いて階調変換した値である。
【００７７】
また、「予め出力媒体毎に定義された、シーン参照画像データから鑑賞画像参照データへの変換を示す階調変換曲線」とは、ＣＲＴ、液晶ディスプレイ、プラズマディスプレイ等の表示デバイス、銀塩印画紙、インクジェットペーパー、サーマルプリンタ用紙などの種類毎に「階調変換曲線」が用意されていることを意味する。
【００７８】
「予め出力媒体毎に定義された、シーン参照画像データから鑑賞画像参照データへの変換を示す階調変換曲線」に基づいて階調変換処理を施すとは、アンダー撮影条件で撮影された状態を再現した階調のシーン参照画像データから、鑑賞画像参照データを生成することである。具体的には、アンダー撮影条件で撮影された状態を再現した階調のシーン参照画像データに対し、同一シーンを撮影したカラーネガフィルムから銀塩印画紙への投影露光方式による写真プリントの階調特性を再現するためのＬＵＴ処理を施すことである。
【００７９】
実際に、同一シーンを撮影したカラーネガフィルムから銀塩印画紙への投影露光方式による写真プリントと、画像データからデジタル露光方式で作成される写真プリントの全体の階調を一致させる階調特性を、アンダー撮影条件で撮影された状態を再現した階調のシーン参照画像データについて算出すると、図４２に示したような、階調変換曲線（入出力変換曲線）のハイライト領域に変曲点が生じることがなく、図２の階調変換曲線（入出力変換曲線）αに示すように、滑らかな放物線状の階調特性となる。図２の階調変換曲線αは、アンダー撮影条件での撮影を再現する階調変換処理が施されたシーン参照画像データから鑑賞画像参照データへの変換を示す。
【００８０】
本発明において「特定の被写体」とは、「較正処理」、即ちキャリブレーション用途の被写体である。このキャリブレーションは、写真館のスタジオ撮影などにおける照明条件（照明比、色温度等）や、被写体の構成による階調変換処理自体を較正するものであり、反射率の分布幅が広く、チャートのように、パッチが不連続に存在するのではなく、色は無彩色であることが望ましい。このような条件を満たす被写体を探索した結果、請求項１１、２５、３９に記載のように、連続的且つ立体感のある「石膏像」が最適であることがわかった。
【００８１】
以下、本発明における「階調変換処理の較正処理」の詳細について具体例を挙げて説明する。
写真館のスタジオ撮影などにおける照明条件は様々であるが、一例として、撮影範囲の中央正面に照明Ａ、左右に照明Ｂ、Ｃと、被写体の頭上に照明Ｄを配置し、更に、照明Ｂ、Ｃの一方をレフ板と呼ばれる反射板に置き換える形態が挙げられる。照明Ｂ、Ｃの明るさ或いはレフ板の位置や大きさを調整することで照明比が変わり、被写体表面の凹凸や置かれる位置によって、影のつき方に起因する立体感が大きく異なってくる。異なるスタジオ間では当然だが、同一のスタジオ撮影でさえ、照明条件を何通りか用意し、顧客の要望に応じて照明条件を変える必要があり、照明の位置や明るさを正確に復元し、常に同じ立体感を安定に再現するのは極めて難しい。そこで本発明では、このような照明条件に起因する立体感を補正する較正処理を、事前に施すことを特徴としている。上述のように、最も立体感が重視される顔などの位置する場所に、石膏像を配置して本番と同じ照明条件で撮影を行う。
【００８２】
較正処理の方法としては、以下の２通りの方法がある。
［１］ユーザが主観で設定した調整因子に基づきコントラストを調整する方法。
［２］コントラストを補正するＬＵＴを自動的に算出し、階調調整を行う方法。
【００８３】
まず、上記［１］のコントラスト調整方法について具体例を挙げて詳述する。
コントラスト調整後のシーン参照画像データのＲＧＢ値(=wkRout、wkGout、wkBout)は、コントラスト調整前のシーン参照画像データのＲＧＢ値(=wkRin、wkGin、wkBin)と、コントラスト調整の程度（＝ＣＣ）と、補正値（＝ＣＣＶ）を用いて、式（９）及び式（１０）で表される。
【数４】
2005202749.tif 000006
ＣＣＶ＝(0.009×ＣＣ＋1.0)−1.0＝0.009×ＣＣ    （１０）
なお、シーン参照画像データの輝度値を用いてコントラスト調整を行うようにしてもよい。
【００８４】
次に、上記［２］の較正処理の方法について説明する。上記［２］の較正処理には、以下のように２通りの方法（［２−１］、［２−２］）がある。
【００８５】
［２−１］  まず、石膏像の位置するシーン参照画像データの値を複数点算出する。このとき、複数の測定点の数は、左頬、右頬、額、頭、首筋、鼻の頭の少なくとも６点が望ましく、また輝度の分布する間隔が均一であり、輝度分布ができるだけ広い（輝度の最大値と最小値が含まれている）ことがより望ましい。次に、上記算出されたシーン参照画像データの値と、予め決定しておいた各点の基準値との相関関係を求め、絶対値をほぼ一致させるＬＵＴを作成し、階調変換処理条件との合成ＬＵＴを作成するか、シーン参照画像データ自体に適用するなどして、階調変換処理の較正処理を実行する。なお、測定点は、石膏像に予めマーキングを施しておき、ユーザがマニュアルで指定してもよいし、プログラムがシーンを自動判別して石膏像並びに測定点の位置を特定する方法など、いかなる態様であってもよい。
【００８６】
［２−２］  まず、石膏像の位置するシーン参照画像データのラインプロファイルを算出する。ラインの数は、左頬と右頬を通過する横の線、額、頭、首筋、鼻の頭を通過する縦の少なくとも２つが望ましく、また輝度分布を示す累積ヒストグラムが均一であり、かつ最大値と最小値を含んでいることがより望ましい。次に、上記算出されたプロファイルと、予め決定しておいたラインプロファイルとの相関関係を求め、絶対値をほぼ一致させるＬＵＴを作成し、階調変換処理条件との合成ＬＵＴを作成するか、シーン参照画像データ自体に適用するなどして、階調変換処理の較正処理を実行する。なお、ラインは、石膏像に予めマーキングを施しておき、ユーザがマニュアルで指定してもよいし、プログラムがシーンを自動判別して石膏像並びにラインの位置を特定する方法など、いかなる態様であってもよい。
【００８７】
較正処理方法は、［１］、［２］の何れかの方法を選択できる。また、［１］、［２］の双方の方法を用いるようにしてもよい。また、予め照明条件毎に複数の較正処理方法を作成しておき、照明条件毎に選択するようにしてもよい。
【００８８】
このように「階調変換処理の較正処理」を施すことにより、照明条件変動の補正された、一定の立体感を再現することが可能となる。また、撮影時に石膏像を用いることにより、白とびのない、適正な露出条件を設定することができる。
【００８９】
本発明において「階調変換曲線上の所定の位置を含む特定領域」とは、図３に示すように、シーン参照画像データから鑑賞画像参照データへ変換する階調変換曲線上の点を含む一定の領域を示す。ここで、「所定の位置」は、入力Ｌ＊が４０以上５０未満の位置であることが好ましい。
【００９０】
「特定領域」の範囲、「特定領域」と「所定の位置」との関係は、階調変換曲線の形状を変更する関係式に依存する。ユーザによって入力される「硬さの調整値」（硬さ調整パラメータ）を用いて階調変換曲線の形状を変更する関係式を定義する際には、「所定の位置」が、「特定領域」の中心となり、特定領域の範囲が極力小さくなるよう配慮することが好ましい。特に、特定領域の範囲が、入出力Ｌ＊でΔ１０以下が好ましく、５以下が更に好ましい。なお、硬さ調整パラメータは１つであることが好ましい。
【００９１】
「特定領域を不動領域として、前記硬さの調整値に基づいて当該階調変換曲線の形状が変更され（形状を変更し）」とは、図３に示すように、特定領域内の階調変換曲線上の少なくとも一点について入出力値を固定し、硬さを調整することによりＳ字上のカーブ形状を再現するものである。硬さを硬く設定した場合には、特定領域を通過する階調変換曲線上の点における傾きが大きくなる。なお、図３中の１は「所定の位置」を表し、２は「特定領域」を表す。本発明において、図３の入力Ｌ＊＝０の出力値はＬ＊＝０に固定され、入力Ｌ＊＝１００の出力値はＬ＊＝１００に固定されていることが好ましい。このように不動領域を設定することにより、明るさ変動の抑制された、鑑賞画像参照データの硬さ調整が可能となる。
【００９２】
また、「特定領域が予め定義された曲線上を移動するように、前記明るさの調整値に基づいて当該階調変換曲線の形状が変更され（形状を変更し）」とは、図４に示すように、明るさを変更しても、特定領域は常に予め決められた放物線状の移動軌跡上にあるように、階調変換曲線の形状を設定することを意図するものである。なお、図４中の４は明るさ調整前の初期状態における「所定の位置」を示し、３は明るさを明るく調整したときの「所定の位置」を示し、５は明るさを暗く調整したときの「所定の位置」を示す。
【００９３】
ユーザによって入力される「明るさの調整値」（明るさ調整パラメータ）を用いて階調変換曲線の形状を変更する関係式を定義する際には、移動軌跡上からのずれ量がなるべく小さくなるようにすることが好ましい。また、本発明において、図４の入力Ｌ＊＝０の出力値はＬ＊＝０に固定され、入力Ｌ＊＝１００の出力値はＬ＊＝１００に固定されていることが好ましい。なお、明るさ調整パラメータは一つであることが好ましい。このように移動軌跡を設定することにより、硬さの変動の抑制された、鑑賞画像参照データの明るさ調整が可能となる。
【００９４】
本発明において「出力媒体上に形成された、硬さと明るさの設定値の組み合わせが異なる複数の画像の中から、択一的に画像を選択」し、「選択された画像に基づいて、生成される鑑賞画像参照データの硬さの調整値及び明るさの調整値を決定する」とは、図５に示すように、予め準備された標準画像に、基準階調変換曲線を適用した画像を中心に置き、「硬さ」と「明るさ」の設定を変えて作成した鑑賞画像を、平面上に配置した鑑賞画像一覧を表示或いは出力して、最適な鑑賞画像を選択することにより、「硬さ」と「明るさ」の調整値の決定を効率化するものである。「予め準備された標準画像」には、被写体の種類として、撮影される頻度の高いものを用いることが好ましく、例えばポートレートが好ましい。
【００９５】
なお、本発明では、被写体の種類に応じて、鑑賞画像参照データの硬さを調整することが望ましい。これは、予め被写体の種類毎に異なる数値で設定しておき、自動的に判別又はオペレータがマニュアル操作で入力した被写体（主要被写体）の種類情報に従って、硬さを調整することである。これは、ポートレート、屋外等の被写体の種類の違いによって、硬さが調整されることが多いという、硬さ調整因子に関する調査から得た知見に基づくものである。本発明においては、被写体の種類に、少なくともポートレート、風景、静物が含まれていることが好ましい。
【００９６】
被写体の種類に応じて鑑賞画像参照データの硬さを調整する場合にも、「出力媒体上に形成された、硬さと明るさの設定値の組み合わせが異なる複数の画像の中から、択一的に画像を選択」し、「選択された画像に基づいて、生成される鑑賞画像参照データの硬さの調整値及び明るさの調整値を決定する」方法を用いることができる。例えば、図６に示すように、鑑賞画像一覧中の標準画像を風景に変え、基準階調変換曲線を適用した画像を中心に置き、「硬さ」の設定を変えて作成した鑑賞画像を、平面上に配置して表示或いは出力して、最適な鑑賞画像を選択することにより、「硬さ」の調整値の決定を効率化することができる。
【００９７】
また、本発明では、撮影条件に応じて、鑑賞画像参照データの明るさを調整するのが望ましい。これは、具体的には、予め撮影条件毎に異なる数値で設定しておき、自動的に判別又はオペレータがマニュアル操作で入力した撮影条件の情報に従って、明るさ調整することである。これは、ストロボ、逆光などの撮影条件による違いによって、明るさ調整されることが多いという、明るさ調整因子に関する調査から得た知見に基づくものである。本発明においては、撮影条件に、少なくとも逆光、ストロボが含まれていることが好ましい。このように、被写体の種類に応じて鑑賞画像参照データの硬さを調整し、撮影条件に応じて鑑賞画像参照データの明るさを調整するようにしたことで、階調変換曲線の変更を効率化することができる。
【００９８】
撮影条件に応じて鑑賞画像参照データの明るさを調整する場合にも、「出力媒体上に形成された、硬さと明るさの設定値の組み合わせが異なる複数の画像の中から、択一的に画像を選択」し、「選択された画像に基づいて、生成される鑑賞画像参照データの硬さの調整値及び明るさの調整値を決定する」方法を用いることができる。例えば、図７に示すように、鑑賞画像一覧中の標準画像を、ポートレートのストロボ撮影シーンに変え、基準階調変換曲線を適用した画像を中心に置き、「明るさ」の設定を変えて作成した鑑賞画像を、平面上に配置して表示或いは出力して、最適な鑑賞画像を選択することにより、「明るさ」の調整値の決定を効率化することができる。
【００９９】
また、本発明では、特定の被写体の種類と撮影条件の組み合わせによって、硬さと明るさを同時に調整するのが望ましい。これは、具体的には、予め特定の被写体と撮影条件の組み合わせを設定しておき、この組み合わせに該当する撮影画像データに関しては、特殊な条件で硬さ、明るさの調整処理を施すことに対応する。これは、上述の硬さと明るさの調整を支配する要因に関し調査を実施した視覚実験において、特定の被写体と撮影条件との組み合わせにおいて、著しく大きな硬さの調整値及び明るさの調整値が存在するという知見に基づくものである。
【０１００】
特定の被写体の種類と撮影条件の組み合わせに応じて、鑑賞画像参照データの硬さの調整値及び明るさを調整する場合においても、「出力媒体上に形成された、硬さと明るさの設定値の組み合わせが異なる複数の画像の中から、択一的に画像を選択」し、「選択された画像に基づいて、生成される鑑賞画像参照データの硬さの調整値及び明るさの調整値を決定する」方法を用いることができる。例えば、被写体の種類がポートレートで、撮影条件が逆光という組み合わせの場合、図８に示すように、鑑賞画像一覧中の標準画像を、ポートレートの逆光撮影シーンに変え、基準階調変換曲線を適用した画像を中心に置き、「明るさ」の設定を変えて作成した鑑賞画像を、平面上に配置して表示或いは出力して、最適な鑑賞画像を選択することにより、「明るさ」の調整値の決定を効率化することができる。
【０１０１】
また、本発明では、鑑賞画像参照データの硬さを調整した程度に応じて、彩度調整量を決定するのが望ましい。これは、硬さの調整値に応じて、彩度調整量（％）が決定されるよう、予め関係式を定義しておくことである。これは、上述の硬さと明るさの調整を支配する要因に関し調査を実施した視覚実験において得られた、硬さ調整値と彩度調整量は相関するという知見に基づくものである。また、鑑賞画像参照データからの硬さ調整値が０のときの彩度調整量は、＋１０％が最も多いという結果も得られている。このため、硬さの調整値が０であるときの彩度調整量は、彩度強調を施す設定であることが好ましい。
【０１０２】
なお、本発明において、シーン参照画像データから鑑賞画像参照データを生成する際に、色の見えモデル（Color Appearance Model）を用いてもよい。色の見えモデルとは、種々の観察条件下における「色の見え」を一致させるためのモデルであり、具体的には、測色値から、観察条件をパラメータとする変換を行い、指定された観察条件下における「色の見え」を表す値を算出することである。このような色の見えモデルとしては、国際照明委員会（ＣＩＥ）により標準モデルとして勧告されたＣＩＥＣＡＭ９７ｓ、ＣＩＥＣＡＭ０２がある。
【０１０３】
本発明の「画像記録装置」は、撮像装置により取得されるデジタル画像データに対し、本発明の画像処理を施す機構以外にも、カラーネガフィルム、カラーリバーサルフィルム、白黒ネガフィルム、白黒リバーサルフィルム等、アナログカメラにより記録された写真感光材料の駒画像情報を入力するフィルムスキャナ、銀塩印画紙であるカラーペーパー上に再現された画像情報を入力するフラットベットスキャナを備えていてもよい。また、コンパクトフラッシュ（登録商標）、メモリースティック（登録商標）、スマートメディア（登録商標）、マルチメディアカード（登録商標）、フロッピー（登録商標）ディスク、光磁気記憶媒体（ＭＯ）、ＣＤ−Ｒ等、公知のあらゆる可搬式の「メディア」に保存されたデジタル画像データを読み取る手段や、ネットワークなどの通信手段を介してデジタル画像データを遠隔地より取得し、ＣＲＴ、液晶ディスプレイ、プラズマディスプレイ等の表示デバイス、銀塩印画紙、インクジェットペーパー、サーマルプリンタ用紙等、公知のあらゆる「出力媒体」に鑑賞画像を形成する処理手段とを備えていてもよい。
【発明の効果】
【０１０４】
本発明によれば、シーン参照画像データに対し、アンダー撮影条件（適正な光量よりも少ない光量を得る露出条件）での撮影を再現する処理を施し、出力媒体毎に定義された階調変換曲線に基づいて階調変換処理を施すようにしたことにより、ハイライト領域の再現性を向上させ、白飛びを防止することができる。
【０１０５】
また、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像の白飛びを防止することができる。また、照明条件変動が補正された一定の立体感を再現することが可能になる。
【０１０６】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０１０７】
また、硬さと明るさの設定値の異なる複数の画像の中から選択された画像に基づいて、鑑賞画像参照データの硬さの調整値及び明るさの調整値を決定し、決定された硬さの調整値及び明るさの調整値に従って、鑑賞画像参照データの硬さ及び明るさを調整することにより、階調変換曲線の設定作業に係る負荷が軽減され、設定作業が効率化される。
【発明を実施するための最良の形態】
【０１０８】
以下、図を参照して本発明の実施形態を詳細に説明する。
まず、図９及び図１０を参照して、本発明の実施形態１〜９に共通の構成として、画像記録装置１の外観構成及び内部構成について説明する。
【０１０９】
〈画像記録装置の外観構成〉
図９は、本発明の実施形態１〜９における画像記録装置１の外観構成を示す斜視図である。画像記録装置１は、図９に示すように、筐体２の一側面に、感光材料を装填するためのマガジン装填部３が備えられている。筐体２の内側には、感光材料に露光する露光処理部４と、露光された感光材料を現像処理して乾燥し、プリントを作成するためのプリント作成部５が備えられている。筐体２の他側面には、プリント作成部５で作成されたプリントを排出するためのトレー６が備えられている。
【０１１０】
また、筐体２の上部には、表示装置としてのＣＲＴ（Cathode Ray Tube）８、透過原稿を読み込む装置であるフィルムスキャナ部９、反射原稿入力装置１０、操作部１１が備えられている。このＣＲＴ８が、プリントを作成しようとする画像情報の画像を画面に表示する表示手段を構成している。更に、筐体２には、各種デジタル記録媒体に記録された画像情報を読み取り可能な画像読込部１４、各種デジタル記録媒体に画像信号を書き込み（出力）可能な画像書込部１５が備えられている。また、筐体２の内部には、これらの各部を集中制御する制御部７が備えられている。
【０１１１】
画像読込部１４には、ＰＣカード用アダプタ１４ａ、フロッピー（登録商標）ディスク用アダプタ１４ｂが備えられ、ＰＣカード１３ａやフロッピー（登録商標）ディスク１３ｂが差し込み可能になっている。ＰＣカード１３ａは、例えば、デジタルカメラで撮像された複数の駒画像データが記録されたメモリを有する。フロッピー（登録商標）ディスク１３ｂには、例えば、デジタルカメラで撮像された複数の駒画像データが記録される。ＰＣカード１３ａ及びフロッピー（登録商標）ディスク１３ｂ以外に駒画像データが記録される記録媒体としては、例えば、マルチメディアカード（登録商標）、メモリースティック（登録商標）、ＭＤデータ、ＣＤ−ＲＯＭ等がある。
【０１１２】
画像書込部１５には、フロッピー（登録商標）ディスク用アダプタ１５ａ、ＭＯ用アダプタ１５ｂ、光ディスク用アダプタ１５ｃが備えられ、それぞれ、ＦＤ１６ａ、ＭＯ１６ｂ、光ディスク１６ｃが差し込み可能になっている。光ディスク１６ｃとしては、ＣＤ−Ｒ、ＤＶＤ−Ｒ等がある。
【０１１３】
なお、図９では、操作部１１、ＣＲＴ８、フィルムスキャナ部９、反射原稿入力装置１０、画像読込部１４が、筐体２に一体的に備えられた構造となっているが、これらの何れか１つ以上を別体として設けるようにしてもよい。
【０１１４】
また、図９に示した画像記録装置１では、感光材料に露光して現像してプリントを作成するものが例示されているが、プリント作成方式はこれに限定されず、例えば、インクジェット方式、電子写真方式、感熱方式、昇華方式等の方式を用いてもよい。
【０１１５】
〈画像記録装置の内部構成〉
図１０は、画像記録装置１の内部構成を示すブロック図である。画像記録装置１は、図１０に示すように、制御部７、露光処理部４、プリント生成部５、フィルムスキャナ部９、反射原稿入力装置１０、画像読込部１４、通信手段（入力）３２、画像書込部１５、データ蓄積手段７１、テンプレート記憶手段７２、操作部１１、ＣＲＴ８、通信手段（出力）３３から構成される。
【０１１６】
制御部７は、マイクロコンピュータにより構成され、ＲＯＭ（Read Only Memory）等の記憶部（図示略）に記憶されている画像処理プログラム等の各種制御プログラムと、ＣＰＵ（Central Processing Unit）（図示略）との協働により、画像記録装置１を構成する各部の動作を制御する。
【０１１７】
制御部７は、本発明の画像処理装置に係る画像処理部７０を有し、操作部１２からの入力信号（指令情報）に基づいて、フィルムスキャナ部９や反射原稿入力装置１０から読み取られた画像信号、画像読込部１４から読み込まれた画像信号、外部機器から通信手段３２を介して入力された画像信号に対して、本発明の画像処理を施して露光用画像情報を形成し、露光処理部４に出力する。また、画像処理部７０は、画像処理された画像信号に対して出力形態に応じた変換処理を施して出力する。画像処理部７０の出力先としては、ＣＲＴ８、画像書込部１５、通信手段（出力）３３等がある。
【０１１８】
露光処理部４は、感光材料に画像の露光を行い、この感光材料をプリント作成部５に出力する。プリント作成部５は、露光された感光材料を現像処理して乾燥し、プリントＰ１、Ｐ２、Ｐ３を作成する。プリントＰ１は、サービスサイズ、ハイビジョンサイズ、パノラマサイズ等のプリントであり、プリントＰ２は、Ａ４サイズのプリントであり、プリントＰ３は、名刺サイズのプリントである。
【０１１９】
フィルムスキャナ部９は、アナログカメラにより撮像された現像済みのネガフィルムＮ、リバーサルフィルム等の透過原稿に記録された駒画像を読み取り、駒画像のデジタル画像信号を取得する。反射原稿入力装置１０は、フラットベットスキャナにより、プリントＰ（写真プリント、書画、各種の印刷物）上の画像を読み取り、デジタル画像信号を取得する。
【０１２０】
画像読込部１４は、ＰＣカード１３ａやフロッピー（登録商標）ディスク１３ｂに記録された駒画像情報を読み出して制御部７に転送する。この画像読込部１４は、画像転送手段３０として、ＰＣカード用アダプタ１４ａ、フロッピー（登録商標）ディスク用アダプタ１４ｂ等を有する。画像読込部１４は、ＰＣカード用アダプタ１４ａに差し込まれたＰＣカード１３ａや、フロッピー（登録商標）ディスク用アダプタ１４ｂに差し込まれたフロッピー（登録商標）ディスク１３ｂに記録された駒画像情報を読み取り、制御部７に転送する。ＰＣカード用アダプタ１４ａとしては、例えばＰＣカードリーダやＰＣカードスロット等が用いられる。
【０１２１】
通信手段（入力）３２は、画像記録装置１が設置された施設内の別のコンピュータや、インターネット等を介した遠方のコンピュータから、撮像画像を表す画像信号やプリント命令信号を受信する。
【０１２２】
画像書込部１５は、画像搬送部３１として、フロッピー（登録商標）ディスク用アダプタ１５ａ、ＭＯ用アダプタ１５ｂ、光ディスク用アダプタ１５ｃを備えている。画像書込部１５は、制御部７から入力される書込信号に従って、フロッピー（登録商標）ディスク用アダプタ１５ａに差し込まれたフロッピー（登録商標）ディスク１６ａ、ＭＯ用アダプタ１５ｂに差し込まれたＭＯ１６ｂ、光ディスク用アダプタ１５ｃに差し込まれた光ディスク１６ｃに、本発明における画像処理方法によって生成された画像信号を書き込む。
【０１２３】
データ蓄積手段７１は、画像情報とそれに対応する注文情報（どの駒の画像から何枚プリントを作成するかの情報、プリントサイズの情報等）とを記憶し、順次蓄積する。
【０１２４】
テンプレート記憶手段７２は、サンプル識別情報Ｄ１、Ｄ２、Ｄ３に対応するサンプル画像データである背景画像、イラスト画像等と合成領域を設定する少なくとも１個のテンプレートのデータを記憶している。オペレータの操作によりセットしてテンプレート記憶手段７２に予め記憶された複数のテンプレートから所定のテンプレートを選択し、駒画像情報は選択されたテンプレートにより合成し、指定されるサンプル識別情報Ｄ１、Ｄ２、Ｄ３に基づいて選択されたサンプル画像データと、注文に基づく画像データ及び／又は文字データとを合成し、指定によるサンプルに基づくプリントを作成する。このテンプレートによる合成は、周知のクロマキー法によって行なわれる。
【０１２５】
なお、プリントのサンプルを指定するサンプル識別情報Ｄ１、Ｄ２、Ｄ３は、操作部２１１から入力されるように構成されているが、これらのサンプル識別情報は、プリントのサンプル又は注文シートに記録されているため、ＯＣＲ等の読み取り手段により読み取ることができる。或いは、オペレータのキーボード操作により入力することもできる。
【０１２６】
このようにプリントのサンプルを指定するサンプル識別情報Ｄ１に対応してサンプル画像データを記録しておき、プリントのサンプルを指定するサンプル識別情報Ｄ１を入力し、この入力されるサンプル識別情報Ｄ１に基づきサンプル画像データを選択し、この選択されたサンプル画像データと、注文に基づく画像データ及び／又は文字データとを合成し、指定によるサンプルに基づくプリントを作成するため、種々の実物大のサンプルをユーザが実際に手にしてプリントの注文ができ、幅広いユーザの多様な要求に応じることができる。
【０１２７】
また、第１のサンプルを指定する第１のサンプル識別情報Ｄ２と第１のサンプルの画像データを記憶し、また、第２のサンプルを指定する第２のサンプル識別情報Ｄ３と第２のサンプルの画像データを記憶し、指定される第１及び第２のサンプル識別情報Ｄ２、Ｄ３とに基づいて選択されたサンプル画像データと、注文に基づく画像データ及び／又は文字データとを合成し、指定によるサンプルに基づくプリントを作成するため、さらに多種多様の画像を合成することができ、より一層幅広いユーザの多様な要求に応じたプリントを作成することができる。
【０１２８】
操作部１１は、情報入力手段１２を有する。情報入力手段１２は、例えば、タッチパネル等により構成されており、情報入力手段１２の押下信号を入力信号として制御部７に出力する。なお、操作部１１は、キーボードやマウス等を備えて構成するようにしてもよい。ＣＲＴ８は、制御部７から入力された表示制御信号に従って、画像情報等を表示する。
【０１２９】
通信手段（出力）３３は、本発明の画像処理を施した後の撮影画像を表す画像信号と、それに付帯するオーダー情報を、画像記録装置１が設置された施設内の他のコンピュータや、インターネット等を介した遠方のコンピュータに対して送信する。
【０１３０】
図１０に示すように、画像記録装置１は、各種デジタルメディアの画像及び画像原稿を分割測光して得られた画像情報を取り込む画像入力手段と、画像処理手段と、処理済の画像を表示、プリント出力、画像記録メディアに書き込む画像出力手段と、通信回線を介して施設内の別のコンピュータやインターネット等を介した遠方のコンピュータに対して画像データと付帯するオーダー情報を送信する手段と、を備える。
【０１３１】
［実施形態１］
図１１〜図１３を参照して、本発明の実施形態１について詳細に説明する。まず、実施形態１における構成について説明する。
【０１３２】
〈画像処理部の構成〉
図１１は、実施形態１に係る画像記録装置１の画像処理部７０の構成を示すブロック図である。実施形態１の画像処理部７０は、図１１に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、階調変換曲線データメモリ１１６、アンダー撮影再現処理部１２１により構成される。
【０１３３】
フィルムスキャンデータ処理部７０２は、フィルムスキャナ部９から入力された画像データに対し、フィルムスキャナ部９固有の校正操作、ネガポジ反転（ネガ原稿の場合）、ゴミキズ除去、グレーバランス調整、コントラスト調整、粒状ノイズ除去、鮮鋭化強調等の処理を施し、処理済の画像データを画像調整処理部７０１に出力する。また、フィルムサイズ、ネガポジ種別、フィルムに光学的或いは磁気的に記録された主要被写体に関わる情報、撮影条件に関する情報（例えば、ＡＰＳの記載情報内容）等も併せて画像調整処理部７０１に出力する。
【０１３４】
反射原稿スキャンデータ処理部７０３は、反射原稿入力装置１０から入力された画像データに対し、反射原稿入力装置１０固有の校正操作、ネガポジ反転（ネガ原稿の場合）、ゴミキズ除去、グレーバランス調整、コントラスト調整、ノイズ除去、鮮鋭化強調等の処理を施し、処理済の画像データを画像調整処理部７０１に出力する。
【０１３５】
画像データ書式解読処理部７０４は、画像転送手段３０及び／又は通信手段（入力）３２から入力された画像データに対し、その画像データのデータ書式に従って、必要に応じて圧縮符号の復元、色データの表現方法の変換等の処理を施し、画像処理部７０内の演算に適したデータ形式に変換し、画像調整処理部７０１に出力する。また、画像データ書式解読処理部７０４は、操作部１１、通信手段（入力）３２、画像転送手段３０の何れかから出力画像の大きさが指定された場合、その指定された情報を検出し、画像調整処理部７０１に出力する。なお、画像転送手段３０により指定される出力画像の大きさについての情報は、画像転送手段３０が取得した画像データのヘッダ情報、タグ情報に埋め込まれている。
【０１３６】
画像調整処理部７０１は、操作部１１又は制御部７の指令に基づいて、フィルムスキャナ部９、反射原稿入力装置１０、画像転送手段３０、通信手段（入力）３２、テンプレート処理部７０５から受け取った画像データに対して、後述する方法で、出力メディア上で画像を観察する際に好ましい印象を与える画像処理を施して出力用のデジタル画像データを生成し、ＣＲＴ固有処理部７０６、プリンタ固有処理部Ａ７０７、プリンタ固有処理部Ｂ７０８、画像データ作成処理部７０９、データ蓄積手段７１に出力する。この画像処理において、画像調整処理部７０１は、操作部１１及び制御部７からの指令に基づいて、階調変換曲線データメモリ１１６から、出力デバイス及び出力メディアに適合する鑑賞画像参照データを作成するための階調変換曲線データを読み出し、鑑賞画像参照データ生成部１０７に出力する。
【０１３７】
テンプレート処理部７０５は、画像調整処理部７０１からの指令に基づいて、テンプレート記憶手段７２から所定の画像データ（テンプレート）を読み出して、画像処理対象の画像データとテンプレートを合成するテンプレート処理を行い、テンプレート処理後の画像データを画像調整処理部７０１に出力する。
【０１３８】
ヘッダ情報解析部１０２は、画像データ書式解読処理部７０４によって、画像データが、画像転送手段３０又は通信手段（入力）３２から入力されたことが判別された場合、撮像装置特性補正データを解読する。
【０１３９】
装置特性補正処理部１０３aは、処理条件テーブル１０３ｂを参照し、撮像装置特性補正データから画像処理条件を決定する。シーン参照画像データ生成部１０４は、装置特性補正処理部１０３aにより決定された画像処理条件に従って、シーン参照画像データを生成する。
【０１４０】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。
【０１４１】
アンダー撮影再現処理部１２１は、シーン参照画像データ生成部１０４で生成されたシーン参照画像データに対し、アンダー撮影条件での撮影を再現する階調変換処理を施し、鑑賞画像参照データ生成部１０７に出力する。
【０１４２】
ＣＲＴ固有処理部７０６は、画像調整処理部７０１から入力された画像データに対して、必要に応じて画素数変更やカラーマッチング等の処理を施し、制御情報等表示が必要な情報と合成した表示用の画像データをＣＲＴ８に出力する。
【０１４３】
プリンタ固有処理部Ａ７０７は、必要に応じてプリンタ固有の校正処理、カラーマッチング、画素数変更等の処理を行い、処理済の画像データを露光処理部４に出力する。
【０１４４】
本発明の画像記録装置１に、大判インクジェットプリンタ等の外部プリンタ５１が接続可能な場合には、接続するプリンタ装置毎にプリンタ固有処理部Ｂ７０８が備えられている。このプリンタ固有処理部Ｂ７０８は、プリンタ固有の校正処理、カラーマッチング、画素数変更等の処理を施し、処理済の画像データを外部プリンタ５１に出力する。
【０１４５】
画像データ書式作成処理部７０９は、画像調整処理部７０１から入力された画像データに対して、必要に応じてJPEG、TIFF、Exif等に代表される各種の汎用画像フォーマットへの変換を施し、処理済の画像データを画像搬送部３１や通信手段（出力）３３に出力する。
【０１４６】
なお、鑑賞画像参照データ生成部１０７において作成される画像データは、ＣＲＴ固有処理部７０６、プリンタ固有処理部Ａ７０７、プリンタ固有処理部Ｂ７０８、画像データ作成処理部７０９における処理を前提としたものであり、画像データ作成処理部７０９においては、鑑賞画像参照データの書式に基づき、ＣＲＴ用、露光出力部用、外部プリンタ用、通信手段（出力）用等、最適化した画像データであることを示すステータスファイルを添付した上で、個々に画像搬送部３１に出力することが可能である。
【０１４７】
図１１に示した、フィルムスキャンデータ処理部７０２、反射原稿スキャンデータ処理部７０３、画像データ書式解読処理部７０４、画像調整処理部７０１、ＣＲＴ固有処理部７０６、プリンタ固有処理部Ａ７０７、プリンタ固有処理部Ｂ７０８、画像データ作成処理部７０９、という区分は、画像処理部７０の機能の理解を助けるために設けた区分であり、必ずしも物理的に独立したデバイスとして実現される必要はなく、例えば、単一のＣＰＵにおけるソフトウエア処理の種類の区分として実現されてもよい。
【０１４８】
また、ヘッダ情報解析部１０２、装置特性補正処理部１０３a、シーン参照画像データ生成部１０４、鑑賞画像参照データ生成部１０７という区分も、画像処理部７０における本発明の機能の理解を助けるために設けた区分であり、必ずしも物理的に独立したデバイスとして実現される必要はなく、例えば、単一のＣＰＵにおけるソフトウエア処理の種類の区分として実現されてもよい。
【０１４９】
〈画像処理装置の構成〉
次に、図１２のブロック図を参照して、請求項１５に記載の発明に係る実施形態１の画像処理装置１１５について説明する。図１２に示す画像処理装置１１５は、図１１の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。
【０１５０】
入力部１０１は、撮像装置によって記録された画像データを記憶メディアから読み出す。ヘッダ情報解析部１０２は、入力部１０１から読み出された画像データのヘッダ情報を解析し、当該画像データに添付された撮像装置特性補正データと、被写体情報とに分ける。
【０１５１】
第１処理部１１３は、装置特性補正処理部１０３ａ、処理条件テーブル１０３ｂ、シーン参照画像データ生成部１０４、一時記憶メモリ１０５により構成される。
【０１５２】
装置特性補正処理部１０３aは、処理条件テーブル１０３ｂを参照し、撮像装置特性補正データから、シーン参照画像データの生成条件を決定し、その決定されたシーン参照画像データ生成条件をシーン参照画像データ生成部１０３に出力する。
【０１５３】
シーン参照画像データ生成部１０４は、装置特性補正処理部１０３aにより決定されたシーン参照画像データ生成条件に従って、画像処理対象の画像データから、撮像装置特性補正処理が施されたシーン参照画像データを生成する。一時記憶メモリ１０５は、シーン参照画像データ生成部１０４により生成されたシーン参照画像データを一時的に記憶する。
【０１５４】
設定入力部（図示略）は、デジタル画像データを出力する記憶デバイス１１０、出力デバイス１１１、表示デバイス１１２の種類に関する操作情報を、第２処理部１１４の鑑賞画像参照データ生成部１０７に出力する。
【０１５５】
第２処理部１１４は、階調変換曲線データメモリ１１６、アンダー撮影再現処理部１２１、鑑賞画像参照データ生成部１０７、一時記憶メモリ１０８により構成される。
【０１５６】
階調変換曲線データメモリ１１６は、出力媒体毎に、階調変換曲線データ、特定領域データ、移動軌跡データを記憶する。
【０１５７】
アンダー撮影再現処理部１２１は、一時記憶メモリ１０５に一時記憶されたシーン参照画像データを読み出し、読み出されたシーン参照画像データに対し、アンダー撮影条件での撮影を再現する階調変換処理を施し、鑑賞画像参照データ生成部１０７に出力する。
【０１５８】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。一時記憶メモリ１０８は、鑑賞画像参照データ生成部１０７において生成された鑑賞画像参照データを一時的に記憶する。一時記憶メモリ１０８に記憶された鑑賞画像参照データは、設定入力部（図示略）からの操作情報に従い、記憶デバイス１１０、出力デバイス１１１、表示デバイス１１２の何れかに出力される。
【０１５９】
次に、本実施形態１の動作について説明する。図１３のフローチャートを参照して、実施形態１の画像記録装置１において実行される画像処理について説明する。
【０１６０】
まず、シーン参照画像データの入力が指示された後（ステップＳ１）、設定入力部（図示略）により出力媒体が指定されると（ステップＳ２）、階調変換曲線データメモリ１１６から、ステップＳ２において指定された出力媒体に対応する階調変換曲線データが読み出される（ステップＳ３）。
【０１６１】
次いで、ステップＳ１で入力されたシーン参照画像データに対し、アンダー撮影を再現する階調変換処理が施される（ステップＳ４）。次いで、ステップＳ４で階調変換処理が施されたシーン参照画像データに対し、ステップＳ３で読み出された階調変換曲線データに基づいて階調変換処理が施され（ステップＳ５）、鑑賞画像参照データが生成され（ステップＳ６）、本画像処理が終了する。
【０１６２】
以上のように、本実施形態１によれば、シーン参照画像データに対し、アンダー撮影条件（適正な光量よりも少ない光量を得る露出条件）での撮影を再現する処理を施し、出力媒体毎に定義された階調変換曲線に基づいて階調変換処理を施すようにしたことにより、出力媒体上に形成される画像のハイライト領域の再現性を向上させ、白飛びを防止することができる。
【０１６３】
また、アンダー撮影条件での撮影を再現するシーン参照画像データから出力媒体出力用の画像データへの階調変換を表すＬＵＴ（階調変換曲線）を作成する際、ＬＵＴの始点（０、０）と終点（２５５、２５５）が固定されていても、変曲点が生じない滑らかな曲線を作成することが可能になる。従って、階調変換曲線の設定に不慣れなオペレータであっても、アナログプリントを再現する階調変換曲線を容易に設定することができる。
【０１６４】
［実施形態２］
図１４〜図１６を参照して、本発明の実施形態２について詳細に説明する。まず、実施形態２における構成について説明する。
【０１６５】
〈画像処理部の構成〉
図１４は、実施形態２に係る画像記録装置１の画像処理部７０の構成を示すブロック図である。実施形態２の画像処理部７０は、図１４に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、階調変換曲線データメモリ１１６、コントラスト較正条件算出部１２２、階調変換曲線較正部１２３により構成される。以下、実施形態２の画像処理部７０を構成する各部のうち、実施形態１の画像処理部７０（図１１参照）と異なる点のみ説明する。
【０１６６】
コントラスト較正条件算出部１２２は、特定の被写体（例えば、石膏像）が一定のコントラストとなるように再現する階調変換処理の較正処理を施す条件（較正条件）を算出し、階調変換曲線較正部１２３に出力する。
【０１６７】
階調変換曲線較正部１２３は、階調変換曲線データメモリ１１６から読み出された階調変換曲線データに対し、コントラスト較正条件算出部１２２で算出された較正条件に従って、階調変換処理の較正処理を施し、較正処理後の階調変換曲線データを鑑賞画像参照データ生成部１０７に出力する。
【０１６８】
鑑賞画像参照データ生成部１０７は、シーン参照画像データ生成部１０４から入力されるシーン参照画像データに対し、階調変換曲線較正部１２３から入力された階調変換曲線データに基づいて階調変換処理を施して鑑賞画像参照データを生成する。
【０１６９】
〈画像処理装置の構成〉
次に、図１５のブロック図を参照して、請求項１６に記載の発明に係る実施形態２の画像処理装置１１５について説明する。図１５に示す画像処理装置１１５は、図１４の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態２の画像処理装置１１５を構成する各部のうち、実施形態１の画像処理装置１１５（図１２参照）と異なる点のみを説明する。
【０１７０】
第２処理部１１４は、階調変換曲線データメモリ１１６、コントラスト較正条件算出部１２２、階調変換曲線較正部１２３、鑑賞画像参照データ生成部１０７、一時記憶メモリ１０８により構成される。
【０１７１】
コントラスト較正条件算出部１２２は、特定の被写体（例えば、石膏像）が一定のコントラストとなるように再現する階調変換処理の較正処理を施す条件（較正条件）を算出し、階調変換曲線較正部１２３に出力する。
【０１７２】
階調変換曲線較正部１２３は、階調変換曲線データメモリ１１６から読み出された階調変換曲線データに対し、コントラスト較正条件算出部１２２で算出された較正条件に従って、階調変換処理の較正処理を施し、較正処理後の階調変換曲線データを鑑賞画像参照データ生成部１０７に出力する。
【０１７３】
鑑賞画像参照データ生成部１０７は、一時記憶メモリ１０５に記憶されたシーン参照画像データに対し、階調変換曲線較正部１２３から入力された階調変換曲線データに基づいて階調変換処理を施して鑑賞画像参照データを生成する。
【０１７４】
次に、本実施形態２の動作について説明する。図１６のフローチャートを参照して、実施形態２の画像記録装置１において実行される画像処理について説明する。
【０１７５】
まず、シーン参照画像データの入力が指示された後（ステップＳ１０）、設定入力部（図示略）により出力媒体が指定されると（ステップＳ１１）、階調変換曲線データメモリ１１６から、ステップＳ１１において指定された出力媒体に対応する階調変換曲線データが読み出される（ステップＳ１２）。
【０１７６】
次いで、特定の被写体（例えば、石膏像）を一定のコントラストとなるように再現するためのコントラスト較正条件が算出され（ステップＳ１３）、算出されたコントラスト較正条件に従って、ステップＳ１２で読み出された階調変換曲線の較正処理が行われる（ステップＳ１４）。
【０１７７】
次いで、ステップＳ１０で入力されたシーン参照画像データに対し、ステップＳ１４で較正処理が施された階調変換曲線に基づいて階調変換処理が施され（ステップＳ１５）、鑑賞画像参照データが生成され（ステップＳ１６）、本画像処理が終了する。
【０１７８】
以上のように、本実施形態２によれば、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像の白飛びを防止することができる。
【０１７９】
［実施形態３］
図１７〜図１９を参照して、本発明の実施形態３について詳細に説明する。まず、実施形態３における構成について説明する。
【０１８０】
〈画像処理部の構成〉
図１７は、実施形態３に係る画像記録装置１の画像処理部７０の構成を示すブロック図である。実施形態３の画像処理部７０は、図１７に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、階調変換曲線データメモリ１１６、アンダー撮影再現処理部１２１、コントラスト較正条件算出部１２２、階調変換曲線較正部１２３により構成される。以下、実施形態３の画像処理部７０を構成する各部のうち、実施形態２の画像処理部７０（図１４参照）と異なる点のみを説明する。
【０１８１】
アンダー撮影再現処理部１２１は、シーン参照画像データ生成部１０４で生成されたシーン参照画像データに対し、アンダー撮影条件での撮影を再現する階調変換処理を施し、鑑賞画像参照データ生成部１０７に出力する。
【０１８２】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。
【０１８３】
〈画像処理装置の構成〉
次に、図１８のブロック図を参照して、請求項１７に記載の発明に係る実施形態３の画像処理装置１１５について説明する。図１８に示す画像処理装置１１５は、図１７の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態３の画像処理装置１１５を構成する各部のうち、実施形態２の画像処理装置１１５（図１５参照）と異なる点のみを説明する。
【０１８４】
第２処理部１１４は、階調変換曲線データメモリ１１６、アンダー撮影再現処理部１２１、コントラスト較正条件算出部１２２、階調変換曲線較正部１２３、鑑賞画像参照データ生成部１０７、一時記憶メモリ１０８により構成される。
【０１８５】
アンダー撮影再現処理部１２１は、一時記憶メモリ１０５に一時記憶されたシーン参照画像データに対し、アンダー撮影条件での撮影を再現する階調変換処理を施し、鑑賞画像参照データ生成部１０７に出力する。
【０１８６】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。
【０１８７】
次に、本実施形態３の動作について説明する。図１９のフローチャートを参照して、実施形態３の画像記録装置１において実行される画像処理について説明する。
【０１８８】
まず、シーン参照画像データの入力が指示された後（ステップＳ２０）、設定入力部（図示略）により出力媒体が指定されると（ステップＳ２１）、階調変換曲線データメモリ１１６から、ステップＳ２１において指定された出力媒体に対応する階調変換曲線データが読み出される（ステップＳ２２）。
【０１８９】
次いで、ステップＳ２０で入力されたシーン参照画像データに対し、アンダー撮影を再現する階調変換処理が施される（ステップＳ２３）。次いで、特定の被写体（例えば、石膏像）を一定のコントラストとなるように再現するためのコントラスト較正条件が算出され（ステップＳ２４）、算出されたコントラスト較正条件に従って、ステップＳ２２で読み出された階調変換曲線の較正処理が行われる（ステップＳ２５）。
【０１９０】
次いで、ステップＳ２３で階調変換処理が施されたシーン参照画像データに対し、ステップＳ２５で較正処理が施された階調変換曲線に基づいて階調変換処理が施され（ステップＳ２６）、鑑賞画像参照データが生成され（ステップＳ２７）、本画像処理が終了する。
【０１９１】
以上のように、本実施形態３によれば、シーン参照画像データに対し、アンダー撮影条件（適正な光量よりも少ない光量を得る露出条件）での撮影を再現する処理を施すとともに、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像のハイライト領域の再現性を一層向上させ、白飛びを防止することができる。
【０１９２】
［実施形態４］
図２０〜図２６を参照して、本発明の実施形態４について詳細に説明する。まず、実施形態４における構成について説明する。
【０１９３】
〈画像処理部の構成〉
図２０は、実施形態４に係る画像記録装置１の画像処理部７０の構成を示すブロック図である。実施形態４の画像処理部７０は、図２０に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、アンダー撮影再現処理部１２１により構成される。以下、実施形態４の画像処理部７０を構成する各部のうち、実施形態１の画像処理部７０（図１１参照）と異なる点のみを説明する。
【０１９４】
硬さ・明るさ設定入力部１０９は、鑑賞画像参照データの硬さの調整値、明るさの調整値を入力するための入力デバイスを備える。
【０１９５】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、修正された階調変換曲線に基づいて、再度、鑑賞画像参照データを生成する。
【０１９６】
〈画像処理装置の構成〉
次に、図２１のブロック図を参照して、請求項１８に記載の発明に係る実施形態４の画像処理装置１１５について説明する。図２１に示す画像処理装置１１５は、図２０の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態４の画像処理装置１１５を構成する各部のうち、実施形態１の画像処理装置１１５（図１２参照）と異なる点のみを説明する。
【０１９７】
第２処理部１１４は、階調変換曲線データメモリ１１６、アンダー撮影再現処理部１２１、硬さ・明るさ設定入力部１０９、鑑賞画像参照データ生成部１０７、一時記憶メモリ１０８により構成される。
【０１９８】
硬さ・明るさ設定入力部１０９は、鑑賞画像参照データの硬さの調整値、明るさの調整値を入力するための入力デバイスを備える。
【０１９９】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。また、鑑賞画像参照データ生成部１０７は、硬さ・明るさ設定入力部１０９から、硬さ調整値が入力された場合、階調変換曲線データメモリ１１６から、特定領域データを読み出し、入力された硬さ調整値に基づいて階調変換曲線の修正（変更）処理を行う。更に、鑑賞画像参照データ生成部１０７は、硬さ・明るさ設定入力部１０９から明るさ調整値が入力された場合、階調変換曲線データメモリ１１６から、移動軌跡データを読み出し、入力された明るさ調整値に基づいて階調変換曲線の修正（変更）処理を行う。また、鑑賞画像参照データ生成部１０７は、硬さ調整値及び明るさ調整値の入力により修正された階調変換曲線に基づいて、鑑賞画像参照データを再生成する。階調変換曲線を修正して新たな階調変換曲線を作成する方法の詳細は、後に説明する。
【０２００】
〈階調変換曲線の作成〉
まず、初期階調変換曲線の作成方法について説明する。階調変換曲線の作成は、シーン参照画像データに対し、IEC61966-2-1が規定する下記の式（１１）〜式（１４）と、JISZ8729が規定する下記の式（１５）を適用して得られる明度（輝度）値を用いることによって行われる。
【０２０１】
【数５】
2005202749.tif 000007
【数６】
2005202749.tif 000008
【数７】
2005202749.tif 000009
【数８】
2005202749.tif 000010
【数９】
2005202749.tif 000011
【０２０２】
式（１１）〜式（１４）は、８ｂｉｔの画像データ（ＲsRGB(8)、ＧsRGB(8)、ＢsRGB(8)）から等色関数の三刺激値（Ｘ、Ｙ、Ｚ）に変換することを示している。ここで、等色関数とは、人間の目の分光感度分布を示す関数である。ここで、式（１１）〜式（１４）におけるｓＲＧＢは、画像データのＲＧＢ値が、ｓＲＧＢ規格に準拠することを示し、式（１１）中の（８）は、８ｂｉｔ（０〜２５５）の画像データであることを示している。
【０２０３】
また、式（１５）において、Ｌ＊は輝度を示す。階調変換曲線では、輝度のみの入力値と出力値の関係を規定しているため、ａ＊ｂ＊は不要となり、Ｌ＊のみが算出される。また、式（１５）のＹnは、標準白色板のＹを示し、Ｄ65は、色温度が６５００Ｋの光を標準白色版に照明したときの刺激値を示す。式（１５）では、Ｙn＝１である。
【０２０４】
式（１５）によりＬ＊が求められると、硬さ、明るさの初期値、特定領域内の所定の位置を設定することにより、初期階調変換曲線が作成される。例えば、Ｌ＊＝２０〜５０の硬さを１．４２、Ｌ＊＝２０〜７５の硬さを１．３５、特定領域（不動領域）内の所定の位置としての入力Ｌ＊を４４．４に設定することができる。硬さ、明るさの初期値、所定の位置は、硬さ・明るさ設定部１０９又は操作部１１により、ユーザ別に設定し、階調変換曲線データメモリ１１６に記憶することが可能である。
【０２０５】
次に、初期階調変換曲線上の特定領域（不動領域）を用いて「硬さ」、「明るさ」を調整し、新たな階調変換曲線を作成する条件式の例を以下に示す。
【０２０６】
階調変換曲線の調整係数として、下記の２係数(FC, FL)を定義する。
［１］FC：硬さの調整係数   （-2<FC <2、FC= 0で初期階調変換曲線）
［２］FL：明るさの調整係数 （-2<FL <2、FL= 0で初期階調変換曲線）
これらの調整係数によって階調変換曲線を変更するために必要な変数は、式（１６）のようになる。
【数１０】
2005202749.tif 000012
【０２０７】
式（１６）において、Ｌは、出力Ｌ＊＝５０となる入力Ｌ＊を示し、Ｌｓは、出力Ｌ＊＝２０となる入力Ｌ＊を示し、Ｌｈは、出力Ｌ＊＝７５となる入力Ｌ＊を示し、Ｇｓは、入力Ｌ＊＝２０〜５０での硬さを示し、Ｇは、入力Ｌ＊＝２０〜７５での硬さを示す。
【０２０８】
式（１６）により算出されたＬｓ、Ｌ、Ｌｈにより、(0, 0)、(Ls, 20)、(L, 50)、(Lh, 75)、(100, 100)の５点を通る滑らかな曲線は、スプライン補間の両端条件を２階微分値＝０とする３次スプライン補間により算出される。以下、スプライン補間について説明する。
【０２０９】
与えられた点をx0、x1、x2、…、xnとし、その関数値を式（１７）のように定義する。
【数１１】
2005202749.tif 000013
また、これらの分点により閉区間［ａ、ｂ］を分割した小区間を次のように定義する。[xj, xj+1]  (0≦j≦n-1)、但し、ａ＝x0<x1<x2、…<xn＝ｂ。
【０２１０】
区間［ａ、ｂ］で２階連続微分可能な３次の区分多項式は、３次スプライン関数と呼ばれ、これをs(x)と表す。この３次スプライン関数は、分割された小区間[xj, xj+1]毎に、式（１９）で定義される多項式sj(x)で表せる。
【数１２】
2005202749.tif 000014
式（１８）より、u0、u1、u2、…、unを求め、下記の式（１９）に代入する。
【数１３】
2005202749.tif 000015
【０２１１】
スプライン補間の他の具体的な例として、Math Soft 社MathCAD2000 のlspline関数、渡辺力・名取亮・小国力 監修「Fortran77による数値計算ソフトウエア」丸善株式会社２４８ページの SPLC 関数（ DF(1)=DF(2)=0,  IOPT(1)=IOPT(2)=1 として使用）、黒瀬能筆・松島勇雄・松雄俊彦 共著「Ｃ言語による科学技術計算サブルーチンライブラリ」啓学出版１６２ページの SPLINT関数、三上直樹著「アルゴリズム教科書」ＣＱ出版社１１０ページのspline 関数、W.H.Press, S.A.Teukolsky, W.T.Vetterling, B.P.Flannery著「Numerical Recipes in C 日本語版」技術評論社１０６ページの spline 関数などを用いることができる。
【０２１２】
図２２に、硬さの調整係数FCが−２、−１、０、＋１、＋２、明るさの調整係数FLが０の場合の階調変換曲線を示す。図２２において、曲線ＧＰ２は、FC＝＋２の場合を示し、曲線ＧＰ１は、FC＝＋１の場合を示し、曲線ＧＰ０は、FC＝０の場合を示し、曲線ＧＭ１は、FC＝−１の場合を示し、曲線ＧＭ２は、FC＝−２の場合を示す。
【０２１３】
図２３に、明るさの調整係数FLが−２、−１、０、＋１、＋２、硬さの調整係数FCが０の場合の階調変換曲線を示す。図２３において、曲線ＧＰ２は、FL＝＋２の場合を示し、曲線ＧＰ１は、FL＝＋１の場合を示し、曲線ＧＰ０は、FL＝０の場合を示し、曲線ＧＭ１は、FL＝−１の場合を示し、曲線ＧＭ２は、FL＝−２の場合を示す。
【０２１４】
図２４に、明るさの調整係数FLが−２、−１、０、＋１、＋２、硬さの調整係数FCが０のときの特定領域（不動領域）の移動軌跡を示す。なお、上述の階調変換曲線の作成方法は、下記の各実施例においても適用される。また、階調変換曲線の作成方法は、上述の方法に限定されるものではない。
【０２１５】
被写体の種類に応じて、階調変換曲線の硬さを調整することができる。以下、被写体の種類に応じて階調変換曲線の硬さを調整する条件を例示する。表１に、各被写体毎の初期階調変換曲線からの硬さ（Ｌ＊２０〜７５）の差（Δ硬さ）及びFc値（硬さの調整係数）の参考値を示す。
【表１】
2005202749.tif 000016
【０２１６】
また、撮影条件に応じて、階調変換曲線の明るさを調整することができる。以下、撮影条件に応じて階調変換曲線の明るさ（明度）を調整する条件を例示する。表２に、各撮影条件毎の初期階調変換曲線からの明るさ（Ｌ＊５０）の差（Δ明るさ）及びFL値（明るさの調整係数）の参考値を示す。
【表２】
2005202749.tif 000017
【０２１７】
更に、特定の被写体の種類と撮影条件に組み合わせによって、階調変換曲線の硬さ及び明るさを調整することができる。以下、特定の被写体の種類と撮影条件の組み合わせによる、硬さ調整値と明るさ（明度）調整値の設定例を示す。表３に、被写体の種類がポートレート、撮影条件がストロボ及び逆光である場合の、初期階調変換曲線からの硬さ（Ｌ＊２０〜７５）の差（Δ硬さ）及び対応するFc値（硬さの調整係数）と、初期階調変換曲線からの明るさ（Ｌ＊５０）の差（Δ明るさ）及び対応するFL値（明るさの調整係数）の参考値を示す。
【表３】
2005202749.tif 000018
【０２１８】
また、硬さ・明るさ設定入力部１０９により指定された硬さ調整値に基づいて、鑑賞画像参照データの彩度調整量を算出することができる。以下、硬さ調整値によって階調変換曲線を調整した程度に応じて、彩度調整量を算出する定義式の一例を示す。指定された硬さ調整値に対応する硬さの調整係数をＦｃ、硬さ（Ｌ＊２５〜７５）の初期階調変換曲線からの差（Δ硬さ）をＤＧ、彩度調整量（％）をＰＳとすると、彩度調整量ＰＳは、下記の式（２０）のように表される。
【数１４】
2005202749.tif 000019
式（２０）では、硬さの調整量が０、即ち、硬さの調整係数が０であるときの彩度調整量（強調量）が＋１０％（強調）に設定される場合を示している。図２５に、式（２０）が示すＤＧ（＝Δγ）とＰＳの関係を示す。
【０２１９】
なお、上述の階調変換曲線における硬さ調整、明るさ調整、鑑賞画像参照データの彩度調整は、下記の実施形態５〜９においても適用可能である。
【０２２０】
次に、実施形態４における動作を説明する。図２６のフローチャートを参照して、実施形態４の画像記録装置１において実行される画像処理について説明する。
【０２２１】
まず、シーン参照画像データの入力が指示された後（ステップＳ３０）、設定入力部（図示略）により出力媒体が指定されると（ステップＳ３１）、階調変換曲線データメモリ１１６から、ステップＳ３１において指定された出力媒体に対応する階調変換曲線データが読み出される（ステップＳ３２）。
【０２２２】
次いで、ステップＳ３０で入力されたシーン参照画像データに対し、アンダー撮影を再現する階調変換処理が施される（ステップＳ３３）。次いで、ステップＳ３３で階調変換処理が施されたシーン参照画像データに対し、ステップＳ３２で読み出された階調変換曲線データに基づいて階調変換処理が施され（ステップＳ３４）、鑑賞画像参照データが生成される（ステップＳ３５）。
【０２２３】
次いで、硬さ・明るさ設定入力部１０９により、硬さ調整値が入力されると（ステップＳ３６）、階調変換曲線データメモリ１１６から特定領域データが読み出され（ステップＳ３７）、入力された硬さ調整値に従って階調変換曲線の修正処理が施される（ステップＳ３８）。
【０２２４】
硬さ・明るさ設定入力部１０９により、明るさ調整値が入力されると（ステップＳ３９）、階調変換曲線データメモリ１１６から移動軌跡データが読み出され（ステップＳ４０）、入力された明るさ調整値に従って階調変換曲線の修正処理が施される（ステップＳ４１）。次いで、修正された階調変換曲線に基づいて鑑賞画像参照データが再生成され（ステップＳ４２）、本画像処理が終了する。
【０２２５】
以上のように、本実施形態４によれば、シーン参照画像データに対し、アンダー撮影条件（適正な光量よりも少ない光量を得る露出条件）での撮影を再現する処理を施し、出力媒体毎に定義された階調変換曲線に基づいて階調変換処理を施すようにしたことにより、出力媒体上に形成される画像のハイライト領域の再現性を向上させ、白飛びを防止することができる。
【０２２６】
また、アンダー撮影条件での撮影を再現するシーン参照画像データから出力媒体出力用の画像データへの階調変換を表すＬＵＴ（階調変換曲線）を作成する際、ＬＵＴの始点（０、０）と終点（２５５、２５５）が固定されていても、変曲点が生じない滑らかな曲線を作成することが可能になる。従って、階調変換曲線の設定に不慣れなオペレータであっても、アナログプリントを再現する階調変換曲線を容易に設定することができる。
【０２２７】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０２２８】
［実施形態５］
図２７〜図２９を参照して、本発明の実施形態５について詳細に説明する。まず、実施形態５の構成について説明する。
【０２２９】
〈画像処理部の構成〉
図２７は、実施形態５に係る画像記録装置１の画像処理部７０の構成を示すブロック図である。実施形態５の画像処理部７０は、図２７に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、コントラスト較正条件算出部１２２、階調変換曲線較正部１２３により構成される。以下、実施形態５の画像処理部７０を構成する各部のうち、実施形態２の画像処理部７０（図１４参照）と異なる点のみ説明する。
【０２３０】
硬さ・明るさ設定入力部１０９は、鑑賞画像参照データの硬さの調整値、明るさの調整値を入力するための入力デバイスを備える。
【０２３１】
鑑賞画像参照データ生成部１０７は、シーン参照画像データ生成部１０４から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２３２】
〈画像処理装置の構成〉
次に、図２８のブロック図を参照して、請求項１９に記載の発明に係る実施形態５の画像処理装置１１５について説明する。図２８に示す画像処理装置１１５は、図２７の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態５の画像処理装置１１５を構成する各部のうち、実施形態２の画像処理装置１１５（図１５参照）と異なる点のみを説明する。
【０２３３】
第２処理部１１４は、階調変換曲線データメモリ１１６、コントラスト較正条件算出部１２２、階調変換曲線較正部１２３、鑑賞画像参照データ生成部１０７、硬さ・明るさ設定入力部１０９、一時記憶メモリ１０８により構成される。
【０２３４】
硬さ・明るさ設定入力部１０９は、鑑賞画像参照データの硬さの調整値、明るさの調整値を入力するための入力デバイスを備える。
【０２３５】
鑑賞画像参照データ生成部１０７は、一時記憶メモリ１０５に記憶されたシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２３６】
次に、本実施形態５の動作について説明する。図２９のフローチャートを参照して、実施形態５の画像記録装置１において実行される画像処理について説明する。
【０２３７】
まず、シーン参照画像データの入力が指示された後（ステップＳ５０）、設定入力部（図示略）により出力媒体が指定されると（ステップＳ５１）、階調変換曲線データメモリ１１６から、ステップＳ５１において指定された出力媒体に対応する階調変換曲線データが読み出される（ステップＳ５２）。
【０２３８】
次いで、特定の被写体（例えば、石膏像）を一定のコントラストとなるように再現するためのコントラスト較正条件が算出され（ステップＳ５３）、算出されたコントラスト較正条件に従って、ステップＳ５２で読み出された階調変換曲線の較正処理が行われる（ステップＳ５４）。
【０２３９】
次いで、ステップＳ５０で入力されたシーン参照画像データに対し、ステップＳ５４で較正処理が施された階調変換曲線に基づいて階調変換処理が施され（ステップＳ５５）、鑑賞画像参照データが生成される（ステップＳ５６）。
【０２４０】
次いで、硬さ・明るさ設定入力部１０９により、硬さ調整値が入力されると（ステップＳ５７）、階調変換曲線データメモリ１１６から特定領域データが読み出され（ステップＳ５８）、入力された硬さ調整値に従って階調変換曲線の修正処理が施される（ステップＳ５９）。
【０２４１】
硬さ・明るさ設定入力部１０９により、明るさ調整値が入力されると（ステップＳ６０）、階調変換曲線データメモリ１１６から移動軌跡データが読み出され（ステップＳ６１）、入力された明るさ調整値に従って階調変換曲線の修正処理が施される（ステップＳ６２）。次いで、修正された階調変換曲線に基づいて鑑賞画像参照データが再生成され（ステップＳ６３）、本画像処理が終了する。
【０２４２】
以上のように、本実施形態５によれば、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像の白飛びを防止することができる。
【０２４３】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０２４４】
［実施形態６］
図３０〜図３２を参照して、本発明の実施形態６について詳細に説明する。まず、実施形態６の構成について説明する。
【０２４５】
〈画像処理部の構成〉
図３０は、実施形態６に係る画像記録装置１の画像処理部７０の構成を示すブロック図である。実施形態６の画像処理部７０は、図３０に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、アンダー撮影再現処理部１２１、コントラスト較正条件算出部１２２、階調変換曲線較正部１２３により構成される。以下、実施形態６の画像処理部７０を構成する各部のうち、実施形態３の画像処理部７０（図１７参照）と異なる点のみを説明する。
【０２４６】
硬さ・明るさ設定入力部１０９は、鑑賞画像参照データの硬さの調整値、明るさの調整値を入力するための入力デバイスを備える。
【０２４７】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２４８】
〈画像処理装置の構成〉
次に、図３１のブロック図を参照して、請求項２０に記載の発明に係る実施形態６の画像処理装置１１５について説明する。図３１に示す画像処理装置１１５は、図３０の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態６の画像処理装置１１５を構成する各部のうち、実施形態３の画像処理装置１１５（図１８参照）と異なる点のみを説明する。
【０２４９】
第２処理部１１４は、階調変換曲線データメモリ１１６、アンダー撮影再現処理部１２１、コントラスト較正条件算出部１２２、階調変換曲線較正部１２３、鑑賞画像参照データ生成部１０７、一時記憶メモリ１０８、硬さ・明るさ設定入力部１０９により構成される。
【０２５０】
硬さ・明るさ設定入力部１０９は、鑑賞画像参照データの硬さの調整値、明るさの調整値を入力するための入力デバイスを備える。
【０２５１】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２５２】
次に、本実施形態６の動作について説明する。図３２のフローチャートを参照して、実施形態６の画像記録装置１において実行される画像処理について説明する。
【０２５３】
まず、シーン参照画像データの入力が指示された後（ステップＳ７０）、設定入力部（図示略）により出力媒体が指定されると（ステップＳ７１）、階調変換曲線データメモリ１１６から、ステップＳ７１において指定された出力媒体に対応する階調変換曲線データが読み出される（ステップＳ７２）。
【０２５４】
次いで、ステップＳ７０で入力されたシーン参照画像データに対し、アンダー撮影を再現する階調変換処理が施される（ステップＳ７３）。次いで、特定の被写体（例えば、石膏像）を一定のコントラストとなるように再現するためのコントラスト較正条件が算出され（ステップＳ７４）、算出されたコントラスト較正条件に従って、ステップＳ７２で読み出された階調変換曲線の較正処理が行われる（ステップＳ７５）。
【０２５５】
次いで、ステップＳ７３で階調変換処理が施されたシーン参照画像データに対し、ステップＳ７５で較正処理が施された階調変換曲線に基づいて階調変換処理が施され（ステップＳ７６）、鑑賞画像参照データが生成される（ステップＳ７７）。
【０２５６】
次いで、硬さ・明るさ設定入力部１０９により、硬さ調整値が入力されると（ステップＳ７８）、階調変換曲線データメモリ１１６から特定領域データが読み出され（ステップＳ７９）、入力された硬さ調整値に従って階調変換曲線の修正処理が施される（ステップＳ８０）。
【０２５７】
硬さ・明るさ設定入力部１０９により、明るさ調整値が入力されると（ステップＳ８１）、階調変換曲線データメモリ１１６から移動軌跡データが読み出され（ステップＳ８２）、入力された明るさ調整値に従って階調変換曲線の修正処理が施される（ステップＳ８３）。次いで、修正された階調変換曲線に基づいて鑑賞画像参照データが再生成され（ステップＳ８４）、本画像処理が終了する。
【０２５８】
以上のように、本実施形態６によれば、シーン参照画像データに対し、アンダー撮影条件（適正な光量よりも少ない光量を得る露出条件）での撮影を再現する処理を施すとともに、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像のハイライト領域の再現性を一層向上させ、白飛びを防止することができる。
【０２５９】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０２６０】
［実施形態７］
図３３〜図３５を参照して、本発明の実施形態７について詳細に説明する。まず、実施形態７の構成について説明する。
【０２６１】
〈画像処理部の構成〉
図３３は、実施形態７に係る画像記録装置１の画像処理部７０の構成を示すブロック図である。実施形態７の画像処理部７０は、図３３に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、鑑賞画像一覧生成部１２０、アンダー撮影再現処理部１２１、硬さ・明るさ決定部３０３により構成される。以下、実施形態７の画像処理部７０を構成する各部のうち、実施形態４の画像処理部７０（図２０参照）と異なる点のみを説明する。
【０２６２】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。
【０２６３】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０２６４】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。また、鑑賞画像参照データ生成部１０７は、硬さ・明るさ設定入力部１０９より指定された硬さ調整値及び明るさ調整値に基づいて階調変換曲線に修正（変更）処理を施して、この修正された階調変換曲線に基づいて、再度、鑑賞画像参照データを生成する。
【０２６５】
〈画像処理装置の構成〉
次に、図３４のブロック図を参照して、請求項２１に記載の発明に係る実施形態７の画像処理装置１１５について説明する。図３４に示す画像処理装置１１５は、図３３の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態７の画像処理装置１１５を構成する各部のうち、実施形態４の画像処理装置１１５（図２１参照）と異なる点のみを説明する。
【０２６６】
第２処理部１１４は、階調変換曲線データメモリ１１６、アンダー撮影再現処理部１２１、硬さ・明るさ設定入力部１０９、鑑賞画像参照データ生成部１０７、一時記憶メモリ１０８、鑑賞画像一覧生成部１２０、硬さ・明るさ決定部３０３により構成される。
【０２６７】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。作成された鑑賞画像参照データ一覧は、一時記憶メモリ１０８に一時的に記憶される。
【０２６８】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０２６９】
鑑賞画像参照データ生成部１０７は、階調変換曲線データメモリ１１６から読み出された階調変換曲線データに基づいて、アンダー撮影再現処理部１２１から入力されるシーン参照画像データに階調変換処理を施して鑑賞画像参照データを生成する。また、鑑賞画像参照データ生成部１０７は、硬さ・明るさ設定入力部１０９より指定された硬さ調整値及び明るさ調整値に基づいて階調変換曲線に修正（変更）処理を施して、この修正された階調変換曲線に基づいて、再度、鑑賞画像参照データを生成する。
【０２７０】
次に、実施形態７における動作を説明する。図３５のフローチャートを参照して、実施形態７の画像記録装置１において実行される画像処理について説明する。
【０２７１】
まず、シーン参照画像データの入力が指示された後（ステップＳ９０）、設定入力部（図示略）により出力媒体が指定されると（ステップＳ９１）、階調変換曲線データメモリ１１６から、ステップＳ９１において指定された出力媒体に対応する階調変換曲線データが読み出される（ステップＳ９２）。
【０２７２】
次いで、ステップＳ９０で入力されたシーン参照画像データに対し、アンダー撮影を再現する階調変換処理が施される（ステップＳ９３）。次いで、ステップＳ９３で階調変換処理が施されたシーン参照画像データに対し、ステップＳ９２で読み出された階調変換曲線データに基づいて階調変換処理が施され（ステップＳ９４）、鑑賞画像参照データが生成される（ステップＳ９５）。
【０２７３】
次いで鑑賞画像の一覧表示をするための「硬さ」と「明るさ」の設定値の組み合わせが決定され、各組み合わせに対応する階調変換曲線が作成される（ステップＳ９６）。次いで、ステップＳ９６で作成された各階調変換曲線に基づいて、鑑賞画像参照データの一覧が作成され、表示デバイス１１２に、図５に示すような鑑賞画像一覧画面が表示される（ステップＳ９７）。
【０２７４】
鑑賞画像一覧画面の中から、操作部１１の操作により鑑賞画像が選択されると（ステップＳ９８）、その選択された鑑賞画像から、後にユーザによって入力される、硬さ調整値及び明るさ調整値が決定される（ステップＳ９９）。
【０２７５】
次いで、硬さ・明るさ設定入力部１０９により、硬さ調整値が入力されると（ステップＳ１００）、階調変換曲線データメモリ１１６から特定領域データが読み出され（ステップＳ１０１）、入力された硬さ調整値に従って階調変換曲線の修正処理が施される（ステップＳ１０２）。
【０２７６】
硬さ・明るさ設定入力部１０９により、明るさ調整値が入力されると（ステップＳ１０３）、階調変換曲線データメモリ１１６から移動軌跡データが読み出され（ステップＳ１０４）、入力された明るさ調整値に従って階調変換曲線の修正処理が施される（ステップＳ１０５）。次いで、修正された階調変換曲線に基づいて鑑賞画像参照データが再生成され（ステップＳ１０６）、本画像処理が終了する。
【０２７７】
以上のように、本実施形態７によれば、シーン参照画像データに対し、アンダー撮影条件（適正な光量よりも少ない光量を得る露出条件）での撮影を再現する処理を施し、出力媒体毎に定義された階調変換曲線に基づいて階調変換処理を施すようにしたことにより、出力媒体上に形成される画像のハイライト領域の再現性を向上させ、白飛びを防止することができる。
【０２７８】
また、アンダー撮影条件での撮影を再現するシーン参照画像データから出力媒体出力用の画像データへの階調変換を表すＬＵＴ（階調変換曲線）を作成する際、ＬＵＴの始点（０、０）と終点（２５５、２５５）が固定されていても、変曲点が生じない滑らかな曲線を作成することが可能になる。従って、階調変換曲線の設定に不慣れなオペレータであっても、アナログプリントを再現する階調変換曲線を容易に設定することができる。
【０２７９】
更に、硬さと明るさの設定値の異なる複数の画像の中から選択された画像に基づいて、鑑賞画像参照データの硬さの調整値及び明るさの調整値を決定し、決定された硬さの調整値及び明るさの調整値に従って、鑑賞画像参照データの硬さ及び明るさを調整することにより、階調変換曲線の設定作業に係る負荷が軽減され、設定作業が効率化される。
【０２８０】
また、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０２８１】
更に、メディアに記録された画像データのプリント等のフォトサービスを提供する写真専門店に、実施形態７の画像記録装置１を設置し、客に、鑑賞画像一覧画面上で、希望する鑑賞画像を選択させ、選択された鑑賞画像の硬さ及び明るさの調整値に基づいて鑑賞画像参照データを生成するようにすると、客の嗜好に合わせたプリントを提供することが可能になる。以下の実施形態８及び９においても、同様のフォトサービスを展開することが可能である。
【０２８２】
［実施形態８］
図３６〜図３８を参照して、本発明の実施形態８について詳細に説明する。まず、実施形態８の構成について説明する。
【０２８３】
〈画像処理部の構成〉
図３６は、実施形態８に係る画像記録装置１の画像処理部７０の構成を示すブロック図である。実施形態８の画像処理部７０は、図３６に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、鑑賞画像一覧生成部１２０、コントラスト較正条件算出部１２２、階調変換曲線較正部１２３、硬さ・明るさ決定部３０３により構成される。以下、実施形態８の画像処理部７０を構成する各部のうち、実施形態５の画像処理部７０（図２７参照）と異なる点のみを説明する。
【０２８４】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。
【０２８５】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０２８６】
鑑賞画像参照データ生成部１０７は、シーン参照画像データ生成部１０４から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２８７】
〈画像処理装置の構成〉
次に、図３７のブロック図を参照して、請求項２２に記載の発明に係る実施形態８の画像処理装置１１５について説明する。図３７に示す画像処理装置１１５は、図３６の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態８の画像処理装置１１５を構成する各部のうち、実施形態５の画像処理装置１１５（図２８参照）と異なる点のみを説明する。
【０２８８】
第２処理部１１４は、階調変換曲線データメモリ１１６、コントラスト較正条件算出部１２２、階調変換曲線較正部１２３、鑑賞画像参照データ生成部１０７、硬さ・明るさ設定入力部１０９、一時記憶メモリ１０８、鑑賞画像一覧生成部１２０、硬さ・明るさ決定部３０３により構成される。
【０２８９】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。作成された鑑賞画像参照データ一覧は、一時記憶メモリ１０８に一時的に記憶される。
【０２９０】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０２９１】
鑑賞画像参照データ生成部１０７は、一時記憶メモリ１０５に記憶されたシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０２９２】
次に、本実施形態８の動作について説明する。図３８のフローチャートを参照して、実施形態８の画像記録装置１において実行される画像処理について説明する。
【０２９３】
まず、シーン参照画像データの入力が指示された後（ステップＳ１１０）、設定入力部（図示略）により出力媒体が指定されると（ステップＳ１１１）、階調変換曲線データメモリ１１６から、ステップＳ１１１において指定された出力媒体に対応する階調変換曲線データが読み出される（ステップＳ１１２）。
【０２９４】
次いで、特定の被写体（例えば、石膏像）を一定のコントラストとなるように再現するためのコントラスト較正条件が算出され（ステップＳ１１３）、算出されたコントラスト較正条件に従って、ステップＳ１１２で読み出された階調変換曲線の較正処理が行われる（ステップＳ１１４）。
【０２９５】
次いで、ステップＳ１１０で入力されたシーン参照画像データに対し、ステップＳ１１４で較正処理が施された階調変換曲線に基づいて階調変換処理が施され（ステップＳ１１５）、鑑賞画像参照データが生成される（ステップＳ１１６）。
【０２９６】
次いで鑑賞画像の一覧表示をするための「硬さ」と「明るさ」の設定値の組み合わせが決定され、各組み合わせに対応する階調変換曲線が作成される（ステップＳ１１７）。次いで、ステップＳ１１７で作成された各階調変換曲線に基づいて、鑑賞画像参照データの一覧が作成され、表示デバイス１１２に、図５に示すような鑑賞画像一覧画面が表示される（ステップＳ１１８）。
【０２９７】
鑑賞画像一覧画面の中から、操作部１１の操作により鑑賞画像が選択されると（ステップＳ１１９）、その選択された鑑賞画像から、後にユーザによって入力される、硬さ調整値及び明るさ調整値が決定される（ステップＳ１２０）。
【０２９８】
次いで、硬さ・明るさ設定入力部１０９により、硬さ調整値が入力されると（ステップＳ１２１）、階調変換曲線データメモリ１１６から特定領域データが読み出され（ステップＳ１２２）、入力された硬さ調整値に従って階調変換曲線の修正処理が施される（ステップＳ１２３）。
【０２９９】
硬さ・明るさ設定入力部１０９により、明るさ調整値が入力されると（ステップＳ１２４）、階調変換曲線データメモリ１１６から移動軌跡データが読み出され（ステップＳ１２５）、入力された明るさ調整値に従って階調変換曲線の修正処理が施される（ステップＳ１２６）。次いで、修正された階調変換曲線に基づいて鑑賞画像参照データが再生成され（ステップＳ１２７）、本画像処理が終了する。
【０３００】
以上のように、本実施形態８によれば、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像の白飛びを防止することができる。
【０３０１】
また、硬さと明るさの設定値の異なる複数の画像の中から選択された画像に基づいて、鑑賞画像参照データの硬さの調整値及び明るさの調整値を決定し、決定された硬さの調整値及び明るさの調整値に従って、鑑賞画像参照データの硬さ及び明るさを調整することにより、階調変換曲線の設定作業に係る負荷が軽減され、設定作業が効率化される。
【０３０２】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。また、硬さ変動が抑制された、鑑賞画像参照データの明るさ調整が可能になる。
【０３０３】
［実施形態９］
図３９〜図４１を参照して、本発明の実施形態９について詳細に説明する。まず、実施形態９の構成について説明する。
【０３０４】
〈画像処理部の構成〉
図３９は、実施形態９に係る画像記録装置１の画像処理部７０の構成を示すブロック図である。実施形態９の画像処理部７０は、図３９に示すように、画像調整処理部７０１、フィルムスキャンデータ処理部７０２、反射原稿スキャンデータ処理部７０３、画像データ書式解読処理部７０４、テンプレート処理部７０５、ＣＲＴ固有処理部７０６、プリンタ固有処理部Ａ７０７、プリンタ固有処理部Ｂ７０８、画像データ作成処理部７０９、ヘッダ情報解析部１０２、装置特性補正処理部１０３ａ、処理条件テーブル１０３ｂ、シーン参照画像データ生成部１０４、鑑賞画像参照データ生成部１０７、硬さ・明るさ設定入力部１０９、階調変換曲線データメモリ１１６、鑑賞画像一覧生成部１２０、アンダー撮影再現処理部１２１、コントラスト較正条件算出部１２２、階調変換曲線較正部１２３、硬さ・明るさ決定部３０３により構成される。以下、実施形態９の画像処理部７０を構成する各部のうち、実施形態６の画像処理部７０（図３０参照）と異なる点のみを説明する。
【０３０５】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。
【０３０６】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０３０７】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０３０８】
〈画像処理装置の構成〉
次に、図４０のブロック図を参照して、請求項２３に記載の発明に係る実施形態９の画像処理装置１１５について説明する。図４０に示す画像処理装置１１５は、図３９の画像処理部７０の一部分を構成するもので、入力部１０１、ヘッダ情報解析部１０２、第１処理部１１３、第２処理部１１４により構成される。第１処理部１１３には、ヘッダ情報解析部１０２が接続され、第２処理部１１４には、記憶デバイス１１０、出力デバイス１１１、表示デバイス１１２が接続される。以下、実施形態９の画像処理装置１１５を構成する各部のうち、実施形態６の画像処理装置１１５（図３１参照）と異なる点のみを説明する。
【０３０９】
第２処理部１１４は、階調変換曲線データメモリ１１６、アンダー撮影再現処理部１２１、コントラスト較正条件算出部１２２、階調変換曲線較正部１２３、鑑賞画像参照データ生成部１０７、一時記憶メモリ１０８、硬さ・明るさ設定入力部１０９、鑑賞画像一覧生成部１２０、硬さ・明るさ決定部３０３により構成される。
【０３１０】
鑑賞画像一覧生成部１２０は、「硬さ」と「明るさ」の設定値の組み合わせの異なる複数の階調変換曲線を作成し、作成されたこれら各階調変換曲線を適用して、鑑賞画像参照データ一覧を作成する。作成された鑑賞画像参照データ一覧は、一時記憶メモリ１０８に一時的に記憶される。
【０３１１】
硬さ・明るさ決定部３０３は、鑑賞画像一覧生成部１２０により作成された鑑賞画像一覧の中から、操作部１１の操作により最適な鑑賞画像が選択されると、その選択された鑑賞画像から、硬さ・明るさ設定入力部１０９により入力される硬さ調整値及び明るさ調整値を決定する。
【０３１２】
鑑賞画像参照データ生成部１０７は、アンダー撮影再現処理部１２１から入力されるシーン参照画像データに対し、階調変換曲線較正部１２３から入力された階調変換曲線データに基づいて階調変換処理を施して鑑賞画像参照データを生成する。また、鑑賞画像参照データ生成部１０７は、硬さ・明るさ設定入力部１０９より指定された硬さ調整値及び明るさ調整値に基づき、階調変換曲線に修正（変更）処理を施して、この修正された階調変換曲線に基づいて、再度、鑑賞画像参照データを生成する。
【０３１３】
次に、本実施形態９の動作について説明する。図４１のフローチャートを参照して、実施形態９の画像記録装置１において実行される画像処理について説明する。
【０３１４】
まず、シーン参照画像データの入力が指示された後（ステップＳ１３０）、設定入力部（図示略）により出力媒体が指定されると（ステップＳ１３１）、階調変換曲線データメモリ１１６から、ステップＳ１３１において指定された出力媒体に対応する階調変換曲線データが読み出される（ステップＳ１３２）。
【０３１５】
次いで、ステップＳ１３０で入力されたシーン参照画像データに対し、アンダー撮影を再現する階調変換処理が施される（ステップＳ１３３）。次いで、特定の被写体（例えば、石膏像）を一定のコントラストとなるように再現するためのコントラスト較正条件が算出され（ステップＳ１３４）、算出されたコントラスト較正条件に従って、ステップＳ１３２で読み出された階調変換曲線の較正処理が行われる（ステップＳ１３５）。
【０３１６】
次いで、ステップＳ１３３で階調変換処理が施されたシーン参照画像データに対し、ステップＳ１３５で較正処理が施された階調変換曲線に基づいて階調変換処理が施され（ステップＳ１３６）、鑑賞画像参照データが生成される（ステップＳ１３７）。
【０３１７】
次いで鑑賞画像の一覧表示をするための「硬さ」と「明るさ」の設定値の組み合わせが決定され、各組み合わせに対応する階調変換曲線が作成される（ステップＳ１３８）。次いで、ステップＳ１３８で作成された各階調変換曲線に基づいて、鑑賞画像参照データの一覧が作成され、表示デバイス１１２に、図５に示すような鑑賞画像一覧画面が表示される（ステップＳ１３９）。
【０３１８】
鑑賞画像一覧画面の中から、操作部１１の操作により鑑賞画像が選択されると（ステップＳ１４０）、その選択された鑑賞画像から、後にユーザによって入力される、硬さ調整値及び明るさ調整値が決定される（ステップＳ１４１）。
【０３１９】
次いで、硬さ・明るさ設定入力部１０９により、硬さ調整値が入力されると（ステップＳ１４２）、階調変換曲線データメモリ１１６から特定領域データが読み出され（ステップＳ１４３）、入力された硬さ調整値に従って階調変換曲線の修正処理が施される（ステップＳ１４４）。
【０３２０】
硬さ・明るさ設定入力部１０９により、明るさ調整値が入力されると（ステップＳ１４５）、階調変換曲線データメモリ１１６から移動軌跡データが読み出され（ステップＳ１４６）、入力された明るさ調整値に従って階調変換曲線の修正処理が施される（ステップＳ１４７）。次いで、修正された階調変換曲線に基づいて鑑賞画像参照データが再生成され（ステップＳ１４８）、本画像処理が終了する。
【０３２１】
以上のように、本実施形態９によれば、シーン参照画像データに対し、アンダー撮影条件（適正な光量よりも少ない光量を得る露出条件）での撮影を再現する処理を施すとともに、出力媒体毎に定義された階調変換曲線に対し、特定の被写体（例えば、石膏像）が一定のコントラストとなるように再現する階調変換処理の較正処理を施し、較正処理後の階調変換曲線に基づいてシーン参照画像データから鑑賞画像参照データを生成するようにしたことにより、出力媒体上に形成される画像のハイライト領域の再現性を一層向上させ、白飛びを防止することができる。
【０３２２】
また、硬さと明るさの設定値の異なる複数の画像の中から選択された画像に基づいて、鑑賞画像参照データの硬さの調整値及び明るさの調整値を決定し、決定された硬さの調整値及び明るさの調整値に従って、鑑賞画像参照データの硬さ及び明るさを調整することにより、階調変換曲線の設定作業に係る負荷が軽減され、設定作業が効率化される。
【０３２３】
更に、シーン参照画像データから鑑賞画像参照データへの変換を示す階調変換曲線上の所定の位置を含む特定領域を不動領域として、階調変換曲線の形状を変更することによって鑑賞画像参照データの硬さを調整し、特定領域が予め定義された曲線状を移動するように、階調変換曲線の形状を変更することによって鑑賞画像参照データの明るさを調整することにより、階調変換曲線の設定作業の効率化を図ることができる。また、明るさ変動が抑制された、鑑賞画像参照データの硬さ調整が可能になる。更に、硬さ変動が抑制された、鑑賞画像参照データの明るさ調整が可能になる。
【０３２４】
なお、上記各実施形態における記述内容は、本発明の趣旨を逸脱しない範囲で適宜変更可能である。
【図面の簡単な説明】
【０３２５】
【図１】シーン参照画像データを鑑賞画像参照データに変換するための階調変換曲線を示す図。
【図２】アナログプリントを再現する本発明の階調変換曲線を示す図。
【図３】図１の階調変換曲線上の所定の位置１と、その所定の位置１を含む特定領域２を示す図。
【図４】図３の特定領域２の移動軌跡を説明するための図。
【図５】鑑賞画像一覧画面の一例を示す図。
【図６】鑑賞画像一覧画面の一例を示す図。
【図７】鑑賞画像一覧画面の一例を示す図。
【図８】鑑賞画像一覧画面の一例を示す図。
【図９】本発明の実施形態１〜９における画像記録装置の外観構成を示す斜視図。
【図１０】本発明の実施形態１〜９における画像記録装置の内部構成を示すブロック図。
【図１１】本発明の実施形態１における画像記録装置の画像処理部の内部構成を示すブロック図。
【図１２】本発明の実施形態１における画像処理装置の内部構成を示すブロック図。
【図１３】実施形態１における画像処理を示すフローチャート。
【図１４】本発明の実施形態２における画像記録装置の画像処理部の内部構成を示すブロック図。
【図１５】本発明の実施形態２における画像処理装置の内部構成を示すブロック図。
【図１６】実施形態２における画像処理を示すフローチャート。
【図１７】本発明の実施形態３における画像記録装置の画像処理部の内部構成を示すブロック図。
【図１８】本発明の実施形態３における画像処理装置の内部構成を示すブロック図。
【図１９】実施形態３における画像処理を示すフローチャート。
【図２０】本発明の実施形態４における画像記録装置の画像処理部の内部構成を示すブロック図。
【図２１】本発明の実施形態４における画像処理装置の内部構成を示すブロック図。
【図２２】階調変換曲線の一例を示す図。
【図２３】階調変換曲線の一例を示す図。
【図２４】階調変換曲線における特定領域（不動領域）の移動軌跡の一例を示す図。
【図２５】硬さ（Ｌ＊２５〜７５）の初期階調変換曲線からの差ＤＧ（Δγ）と、彩度調整量ＰＳ（％）の関係を示す図。
【図２６】実施形態４における画像処理を示すフローチャート。
【図２７】本発明の実施形態５における画像記録装置の画像処理部の内部構成を示すブロック図。
【図２８】本発明の実施形態５における画像処理装置の内部構成を示すブロック図。
【図２９】実施形態５における画像処理を示すフローチャート。
【図３０】本発明の実施形態６における画像記録装置の画像処理部の内部構成を示すブロック図。
【図３１】本発明の実施形態６における画像処理装置の内部構成を示すブロック図。
【図３２】実施形態６における画像処理を示すフローチャート。
【図３３】本発明の実施形態７における画像記録装置の画像処理部の内部構成を示すブロック図。
【図３４】本発明の実施形態７における画像処理装置の内部構成を示すブロック図。
【図３５】実施形態７における画像処理を示すフローチャート。
【図３６】本発明の実施形態８における画像記録装置の画像処理部の内部構成を示すブロック図。
【図３７】本発明の実施形態８における画像処理装置の内部構成を示すブロック図。
【図３８】実施形態８における画像処理を示すフローチャート。
【図３９】本発明の実施形態９における画像記録装置の画像処理部の内部構成を示すブロック図。
【図４０】本発明の実施形態９における画像処理装置の内部構成を示すブロック図。
【図４１】実施形態９における画像処理を示すフローチャート。
【図４２】アナログプリントを再現する従来の階調変換曲線の例を示す図。
【符号の説明】
【０３２６】
１    画像記録装置
４  露光処理部
５  プリント作成部
７    制御部
８    ＣＲＴ
９    フィルムスキャナ部
１０    反射原稿入力装置
１１    操作部（画像選択部）
１２    情報入力手段
１４    画像読込部
１５    画像書込部
３０    画像転送手段
３１    画像搬送部
３２    通信手段（入力）
３３    通信手段（出力）
５１    外部プリンタ
７０    画像処理部
７０１  画像調整処理部
７０２  フィルムスキャンデータ処理部
７０３  反射原稿スキャンデータ処理部
７０４  画像データ書式解読処理部
７０５  テンプレート処理部
７０６  ＣＲＴ固有処理部
７０７  プリント固有処理部Ａ
７０８  プリント固有処理部Ｂ
７０９  画像データ作成処理部
７１    データ蓄積手段
７２    テンプレート記憶手段
１０１  入力部
１０２  ヘッダ情報解析部
１０３ａ  処理条件テーブル
１０３ｂ  装置特性補正処理部
１０４  シーン参照画像データ生成部
１０５、１０８  一時記憶メモリ
１０７  鑑賞画像参照データ生成部（生成部、第１の変更部、第２の変更部）
１０９  硬さ・明るさ設定入力部（第１の入力部、第２の入力部）
１１６  階調変換曲線データメモリ（記憶部）
１２０  鑑賞画像一覧生成部
１２１  アンダー撮影再現処理部（変換部）
１２２  コントラスト較正条件算出部
１２３  階調変換曲線較正部（較正処理部）
３０３  硬さ・明るさ決定部（決定部）
【図１】
2005202749.tif 000020
【図２】
2005202749.tif 000021
【図３】
2005202749.tif 000022
【図４】
2005202749.tif 000023
【図５】
2005202749.tif 000024
【図６】
2005202749.tif 000025
【図７】
2005202749.tif 000026
【図８】
2005202749.tif 000027
【図９】
2005202749.tif 000028
【図１０】
2005202749.tif 000029
【図１１】
2005202749.tif 000030
【図１２】
2005202749.tif 000031
【図１３】
2005202749.tif 000032
【図１４】
2005202749.tif 000033
【図１５】
2005202749.tif 000034
【図１６】
2005202749.tif 000035
【図１７】
2005202749.tif 000036
【図１８】
2005202749.tif 000037
【図１９】
2005202749.tif 000038
【図２０】
2005202749.tif 000039
【図２１】
2005202749.tif 000040
【図２２】
2005202749.tif 000041
【図２３】
2005202749.tif 000042
【図２４】
2005202749.tif 000043
【図２５】
2005202749.tif 000044
【図２６】
2005202749.tif 000045
【図２７】
2005202749.tif 000046
【図２８】
2005202749.tif 000047
【図２９】
2005202749.tif 000048
【図３０】
2005202749.tif 000049
【図３１】
2005202749.tif 000050
【図３２】
2005202749.tif 000051
【図３３】
2005202749.tif 000052
【図３４】
2005202749.tif 000053
【図３５】
2005202749.tif 000054
【図３６】
2005202749.tif 000055
【図３７】
2005202749.tif 000056
【図３８】
2005202749.tif 000057
【図３９】
2005202749.tif 000058
【図４０】
2005202749.tif 000059
【図４１】
2005202749.tif 000060
【図４２】
2005202749.tif 000061